(57)【要約】【課題】  記録媒体からの映像に重畳表示されるメニュー画面等のコンテンツにおいて、より色彩に富んだメニューやインタラクティブ性の向上等が望まれている状況にある。【解決手段】  上記課題を解決するべく、プログラム・チェーンで再生管理される拡張ビデオ・オブジェクトの記録領域３２と、この領域３２に記録されるビデオ・オブジェクトとは別に記録される高機能グラフィック・オブジェクトの記録領域３４と、この高機能グラフィック・オブジェクトの再生に関してその再生条件を指示する再生シーケンスの記録領域３５とを情報記録媒体１に設けるようにした。【選択図】  図１
2005276344.tif 000002
【特許請求の範囲】
【請求項１】
プログラム・チェーンで再生管理される拡張ビデオ・オブジェクトと、このビデオ・オブジェクトとは別に記録されるアドバンスド・オブジェクトと、このアドバンスド・オブジェクトの再生に関してその再生条件を与える再生シーケンスとが記録されたことを特徴とする情報記録媒体。
【請求項２】
請求項１記載の情報記録媒体において、前記アドバンスド・オブジェクトはグラフィック・オブジェクト及びテキスト・オブジェクトを有することを特徴とする情報記録媒体。
【請求項３】
請求項１記載の情報記録媒体において、前記再生シーケンスは、再生タイミング、再生位置、再生サイズにかかるデータを有することを特徴とする情報記録媒体。
【請求項４】
プログラム・チェーンで再生管理される拡張ビデオ・オブジェクトと、このビデオ・オブジェクトとは別に記録されるアドバンスド・オブジェクトと、前記拡張ビデオ・オブジェクト及び前記アドバンスド・オブジェクトそれぞれの再生に関してその再生条件を与えるプログラマブル再生シーケンスとが記録されたことを特徴とする情報記録媒体。
【請求項５】
第１のビデオ・オブジェクトと、この第１のビデオ・オブジェクトに基づく表示画像に重畳表示される画像の元となり、前記第１のビデオ・オブジェクトとは別オブジェクトとして記録された第２のビデオ・オブジェクトと、この第２のビデオ・オブジェクトによる前記重畳表示の際の表示制御を行うための再生制御データとが記録されたことを特徴とする情報記録媒体。
【請求項６】
第１のビデオ・オブジェクトと、この第１のビデオ・オブジェクトに基づく表示画像と同時に表示される画像の元となり、前記第１のビデオ・オブジェクトとは別オブジェクトとして記録された第２のビデオ・オブジェクトと、前記第１及び第２のビデオ・オブジェクトの前記同時表示の際の表示制御を行うための再生制御データとが記録されたことを特徴とする情報記録媒体。
【請求項７】
プログラム・チェーンで再生管理される拡張ビデオ・オブジェクト及びこのビデオ・オブジェクトとは別に記録されるアドバンスド・オブジェクト及びこのアドバンスド・オブジェクトの再生に対して再生条件を与える再生シーケンスが記録された情報記録媒体から前記拡張ビデオ・オブジェクト及びアドバンスド・オブジェクト及び再生シーケンスを再生する手段と、再生された再生シーケンスをデコードしこのデコードされた情報に基づき前記拡張ビデオ・オブジェクトに基づく再生画像に前記再生されたアドバンスド・オブジェクトに基づく再生画像を重畳する手段とを具備したことを特徴とする情報再生装置。
【請求項８】
プログラム・チェーンで再生管理される拡張ビデオ・オブジェクト、並びにこのビデオ・オブジェクトとは別に記録されるアドバンスド・オブジェクト、並びに前記拡張ビデオ・オブジェクト及びアドバンスド・オブジェクトのそれぞれの再生に対して再生条件を与えるプログラマブル再生シーケンスが記録された情報記録媒体から前記拡張ビデオ・オブジェクト及びアドバンスド・オブジェクト及びプログラマブル再生シーケンスを再生する手段と、再生されたプログラマブル再生シーケンスをデコードし、このデコードされた情報に基づき前記拡張ビデオ・オブジェクトに基づく再生画像及び前記再生されたアドバンスド・オブジェクトに基づく再生画像を合成する手段とを具備したことを特徴とする情報再生装置。
【請求項９】
第１のビデオ・オブジェクト及びこの第１のビデオ・オブジェクトに基づく表示画像に重畳表示される画像の元となり、前記第１のビデオ・オブジェクトとは別オブジェクトとして記録された第２のビデオ・オブジェクト及びこの第２のビデオ・オブジェクトによる前記重畳表示の際の表示制御を行うための再生制御データが記録された情報記録媒体から第１及び第２のビデオ・オブジェクト並びに再生制御データを再生する手段と、再生された再生制御データを解読し、この解読されたデータに基づいて、再生された第１のビデオ・オブジェクトに基づく画像に第２のビデオ・オブジェクトに基づく画像を重畳する手段とを具備したことを特徴とする情報再生装置。
【請求項１０】
第１のビデオ・オブジェクト並びにこの第１のビデオ・オブジェクトに基づく表示画像と同時に表示される画像の元となり前記第１のビデオ・オブジェクトとは別オブジェクトとして記録された第２のビデオ・オブジェクト並びに前記第１及び第２のビデオ・オブジェクトの前記同時表示の際の表示制御を行うための再生制御データとが記録された情報記録媒体から第１及び第２のビデオ・オブジェクト並びに再生制御データを再生する手段と、再生された再生制御データを解読し、この解読されたデータに基づいて、再生された第１のビデオ・オブジェクトに基づく画像と第２のビデオ・オブジェクトに基づく画像とを合成する手段とを具備したことを特徴とする情報再生装置。
【発明の詳細な説明】
【技術分野】
【０００１】
本発明は、光ディスク等の情報記録媒体及びこの情報記録媒体を再生する情報再生装置に関する。
【背景技術】
【０００２】
近年、高画質・高機能を有するＤＶＤビデオ・ディスク及びそのディスクを再生するビデオ・プレーヤの普及が進み、そのマルチチャネル・オーディオを再生する周辺機器等も選択の幅が広がってきている。そしてホームシアターが身近に実現でき、高画質・高音質の映画やアニメーション等を家庭で自在に視聴し得る環境が整えられつつある。
【０００３】
また、特許文献１に示すように、ディスクからの再生映像に対して文字の色等を変更することで種々のメニューを重畳表示することの出来る再生装置も提案されている。
【０００４】
しかしながら、ここ数年、画像圧縮技術の向上に伴って、ユーザ及びコンテンツ供給者の両者からさらなる高画質の実現を望む声が挙がっている。また、上記高画質の実現以外にも、タイトル本編も含めメニュー画面や特典映像等のコンテンツにおいて、より色彩に富んだメニューやインタラクティブ性の向上等、コンテンツ内容の拡充によるユーザへのより魅力的なコンテンツの提供がコンテンツ供給者から望まれている。
【０００５】
さらに、ユーザの撮影した静止画イメージ・データやネット接続などにより入手した字幕テキスト等をユーザが自由に再生位置や再生領域、あるいは再生時間を指定して、コンテンツを自由に楽しみたい等の要求が高まってきている。
【特許文献１】特開平１０−５００３６号公報（第１８頁乃至第２０頁、図５０乃至図５７）
【発明の開示】
【発明が解決しようとする課題】
【０００６】
上述したように、メニュー画面や特典映像等のコンテンツにおいても、より色彩に富んだメニューやインタラクティブ性の向上等、コンテンツ内容の拡充によるユーザへのより魅力的なコンテンツの提供がコンテンツ供給者から望まれている状況にある。
【０００７】
本発明はこのような点に鑑みてなされたもので、例えば、画面上の任意の位置に任意のサイズで静止画イメージやバックグラウンド・オーディオ、スモール・アニメーションを伴うボタンやハイライト表示を行うといった、多彩な表現を実現し魅力的なコンテンツの構築が可能な情報記録媒体及びその再生装置を提供することを目的とする。
【課題を解決するための手段】
【０００８】
上記目的を達成するために、請求項１にかかる情報記録媒体は、プログラム・チェーンで再生管理される拡張ビデオ・オブジェクトと、このビデオ・オブジェクトとは別に記録されるアドバンスド・オブジェクトと、このアドバンスド・オブジェクトの再生に関してその再生条件を与える再生シーケンスとが記録されたことを特徴とするものである。
【０００９】
また、請求項２にかかる情報記録媒体は、請求項１記載の情報記録媒体において、前記アドバンスド・オブジェクトはグラフィック・オブジェクト及びテキスト・オブジェクトを有することを特徴とするものである。
【００１０】
さらに、請求項３にかかる情報記録媒体は、請求項１記載の情報記録媒体において、前記再生シーケンスは、再生タイミング、再生位置、再生サイズにかかるデータを有することを特徴とするものである。
【００１１】
請求項４にかかる情報記録媒体は、プログラム・チェーンで再生管理される拡張ビデオ・オブジェクトと、このビデオ・オブジェクトとは別に記録されるアドバンスド・オブジェクトと、前記拡張ビデオ・オブジェクト及び前記アドバンスド・オブジェクトそれぞれの再生に関してその再生条件を与えるプログラマブル再生シーケンスとが記録されたことを特徴とするものである。
【００１２】
請求項５にかかる情報記録媒体は、第１のビデオ・オブジェクトと、この第１のビデオ・オブジェクトに基づく表示画像に重畳表示される画像の元となり、前記第１のビデオ・オブジェクトとは別オブジェクトとして記録された第２のビデオ・オブジェクトと、この第２のビデオ・オブジェクトによる前記重畳表示の際の表示制御を行うための再生制御データとが記録されたことを特徴とするものである。
【００１３】
請求項６にかかる情報記録媒体は、第１のビデオ・オブジェクトと、この第１のビデオ・オブジェクトに基づく表示画像と同時に表示される画像の元となり、前記第１のビデオ・オブジェクトとは別オブジェクトとして記録された第２のビデオ・オブジェクトと、前記第１及び第２のビデオ・オブジェクトの前記同時表示の際の表示制御を行うための再生制御データとが記録されたことを特徴とするものである。
【００１４】
請求項７にかかる情報再生装置は、プログラム・チェーンで再生管理される拡張ビデオ・オブジェクト及びこのビデオ・オブジェクトとは別に記録されるアドバンスド・オブジェクト及びこのアドバンスド・オブジェクトの再生に対して再生条件を与える再生シーケンスが記録された情報記録媒体から前記拡張ビデオ・オブジェクト及びアドバンスド・オブジェクト及び再生シーケンスを再生する手段と、再生された再生シーケンスをデコードしこのデコードされた情報に基づき前記拡張ビデオ・オブジェクトに基づく再生画像に前記再生されたアドバンスド・オブジェクトに基づく再生画像を重畳する手段とを具備したことを特徴とするものである。
【００１５】
請求項８にかかる情報再生装置は、プログラム・チェーンで再生管理される拡張ビデオ・オブジェクト、並びにこのビデオ・オブジェクトとは別に記録されるアドバンスド・オブジェクト、並びに前記拡張ビデオ・オブジェクト及びアドバンスド・オブジェクトのそれぞれの再生に対して再生条件を与えるプログラマブル再生シーケンスが記録された情報記録媒体から前記拡張ビデオ・オブジェクト及びアドバンスド・オブジェクト及びプログラマブル再生シーケンスを再生する手段と、再生されたプログラマブル再生シーケンスをデコードし、このデコードされた情報に基づき前記拡張ビデオ・オブジェクトに基づく再生画像及び前記再生されたアドバンスド・オブジェクトに基づく再生画像を合成する手段とを具備したことを特徴とするものである。
【００１６】
請求項９にかかる情報再生装置は、第１のビデオ・オブジェクト及びこの第１のビデオ・オブジェクトに基づく表示画像に重畳表示される画像の元となり、前記第１のビデオ・オブジェクトとは別オブジェクトとして記録された第２のビデオ・オブジェクト及びこの第２のビデオ・オブジェクトによる前記重畳表示の際の表示制御を行うための再生制御データが記録された情報記録媒体から第１及び第２のビデオ・オブジェクト並びに再生制御データを再生する手段と、再生された再生制御データを解読し、この解読されたデータに基づいて、再生された第１のビデオ・オブジェクトに基づく画像に第２のビデオ・オブジェクトに基づく画像を重畳する手段とを具備したことを特徴とするものである。
【００１７】
請求項１０にかかる情報再生装置は、第１のビデオ・オブジェクト並びにこの第１のビデオ・オブジェクトに基づく表示画像と同時に表示される画像の元となり前記第１のビデオ・オブジェクトとは別オブジェクトとして記録された第２のビデオ・オブジェクト並びに前記第１及び第２のビデオ・オブジェクトの前記同時表示の際の表示制御を行うための再生制御データとが記録された情報記録媒体から第１及び第２のビデオ・オブジェクト並びに再生制御データを再生する手段と、再生された再生制御データを解読し、この解読されたデータに基づいて、再生された第１のビデオ・オブジェクトに基づく画像と第２のビデオ・オブジェクトに基づく画像とを合成する手段とを具備したことを特徴とするものである。
【発明の効果】
【００１８】
本発明によれば、多彩な表現を実現し、魅力的なコンテンツの構築が可能な情報記録媒体及びその再生装置を提供することが出来る。
【発明を実施するための最良の形態】
【００１９】
以下、本発明になる情報記録媒体及びその再生装置の実施の形態について、図面を参照して説明する。
【００２０】
図１は本発明になる情報記録媒体における記録情報のデータ構造の一実施の形態を示す図である。図１（ａ）はディスク形状の情報記録媒体１であり、このディスク１に記録された情報の詳細については、図１（ｂ）以降に示される。
ディスク１に記録された情報は、図１（ｂ）に示すように内周側からリードイン領域１０、ボリューム／ファイル構造情報領域１１、データ領域１２、リードアウト領域１３から構成されている。本実施の形態における情報記録媒体では、ファイル・システムにＩＳＯ９６６０及びＵＤＦのブリッジ構造を採用し、データ領域１２の一部にＩＳＯ９６６０及びＵＤＦのボリューム／ファイル構造情報領域１１を有する。データ領域１２内では、図１（ｃ）に示すようにビデオ・データ記録領域２０及び他のビデオ・データ記録領域２１、一般のコンピュータ情報記録領域２２の混在配置が許されている。
【００２１】
ビデオデータ記録領域は、図１（ｄ）に示すようにビデオ・データ記録領域２０内に記録されたＤＶＤビデオ・コンテンツ全体に関する管理情報が記録されたビデオ・マネージャ記録領域（ＶＭＧ：Ｖｉｄｅｏ  Ｍａｎａｇｅｒ）３０、及び各タイトル毎にまとめられ各タイトル毎の管理情報と映像情報（ビデオ・オブジェクト）がまとめて記録されたビデオ・タイトル・セット記録領域（ＶＴＳ：Ｖｉｄｅｏ  Ｔｉｔｌｅ  Ｓｅｔ）４０から構成されている。
【００２２】
ビデオ・マネージャ記録領域（ＶＭＧ）３０は、図１（ｅ）に示すようにビデオ・データ記録領域２０全体に関わる管理情報を示すビデオ・マネージャ情報領域（ＶＭＧＩ：Ｖｉｄｅｏ  Ｍａｎａｇｅｒ  Ｉｎｆｏｒｍａｉｔｏｎ）３１、ビデオ・データ記録領域２０全体で利用されるメニュー背景画面が記録されたメニュー用拡張ビデオ・オブジェクト領域（ＶＭＧＭ＿ＥＶＯＢＳ）３２、ビデオ・マネージャ情報領域（ＶＭＧＩ）３１のバックアップ用としてビデオ・マネージャ情報領域（ＶＭＧＩ）３１と全く同じ情報が記録されたビデオ・マネージャ情報バックアップ領域（ＶＭＧＩ＿ＢＵＰ）３３から構成されている。
【００２３】
また、上記の他に、ボタン配置、ボタン・ハイライト表示、バックグラウンド・オーディオやスモール・アニメーションの再生が可能なメニュー用高機能グラフィック・オブジェクト領域（ＶＭＧＭ＿ＡＧＯＢＳ）３４、拡張ビデオ・オブジェクト（ＥＶＯＢ）以外のオブジェクトの再生制御を規定する再生シーケンス（ＰＳＱ）３５を有する。
【００２４】
各タイトル毎の管理情報と映像情報（ビデオ・オブジェクト）がまとめて記録された１個のビデオ・タイトル・セット記録領域（ＶＴＳ）４０は、図１（ｆ）に示すように、ビデオ・タイトル・セット記録領域（ＶＴＳ）４０内の全コンテンツに対する管理情報が記録されているビデオ・タイトル・セット情報領域（ＶＴＳＩ）４１と、このビデオ・タイトル・セット内でのビデオ・オブジェクト（タイトルの映像情報）データが記録されているタイトル用拡張ビデオ・オブジェクト領域（ＶＴＳＴＴ＿ＥＶＯＢＳ）４２と、ビデオ・タイトル・セット情報領域（ＶＴＳＩ）４１のバックアップ・データとしてビデオ・タイトル・セット情報領域（ＶＴＳＩ）４１と全く同じ情報が記録されたビデオ・タイトル・セット情報バックアップ領域（ＶＴＳＩ＿ＢＵＰ）４３とから構成されている。
【００２５】
さらに、ビデオ・タイトル・セット記録領域４０は、上記の他に、ボタン配置、ボタン・ハイライト表示、バックグラウンド・オーディオやスモール・アニメーションの再生が可能なタイトル用高機能グラフィック・オブジェクト領域（ＶＴＳＴＴ＿ＡＧＯＢＳ）４４及び字幕として再生可能な高精細テキスト・オブジェクト（ＶＴＳＴＴ＿ＡＴＯＢＳ）４５を有する。
【００２６】
図２は、本実施の形態に係るファイル・ディレクトリ構造の一例を示す図である。図２に示す様に、情報記録媒体１としてのディスク内に格納されるファイルは、ＩＳＯ  ９６６０またはＵＤＦ等のファイル・システムで管理され、ルート（Ｒｏｏｔ）・ディレクトリ下には、高精細（Ｈｉｇｈ  Ｄｅｆｉｎｉｔｉｏｎ）ビデオを扱う情報ファイルを格納するＨＶＤＶＤ＿ＴＳディレクトリと、アドバンスド・オブジェクトを扱う情報ファイルを格納するＡＤＶ＿ＯＢＪディレクトリとが配置される。上記ＨＶＤＶＤ＿ＴＳディレクトリ内には、大別して、メニュー用に利用されるメニュー・グループに属するファイル群と、タイトル用に利用されるタイトル・セット・グループに属するファイル群とが存在する。
【００２７】
メニュー・グループに属するファイル群には、ディスク全体を管理する情報を有するビデオ・マネージャ用の情報ファイル（ＨＶＩ００００１．ＩＦＯ）と、そのバックアップ・ファイル（ＨＶＩ００００１．ＢＵＰ）と、メニューの背景画面として利用されるメニュー用拡張ビデオ・オブジェクト・セットの再生データ・ファイル（ＨＶＭ００００１．ＥＶＯ〜ＨＶＭ００００３．ＥＶＯ）とが格納される。
【００２８】
さらに、タイトル・セット＃ｎのグループに属するファイル群には、タイトル・セット＃ｎを管理する情報を有するビデオ・タイトル・セット用の情報ファイル（ＨＶＩｘｘｘ０１．ＩＦＯ：ｘｘｘ＝００１〜９９９）と、そのバックアップ・ファイル（ＨＶＩｘｘｘ０１．ＢＵＰ：ｘｘｘ＝００１〜９９９）と、タイトルとして利用されるタイトル・セット＃ｎ用拡張ビデオ・オブジェクト・セットの再生データ・ファイル（ＨＶＴｘｘｘｙｙ．ＥＶＯ：ｘｘｘ＝００１〜９９９、ｙｙ＝０１〜９９）とが格納される。
【００２９】
また、前記ＡＤＶ＿ＯＢＪディレクトリ内には、前記ＨＶＤＶＤ＿ＴＳディレクトリのメニュー・グループに属する前記再生データ・ファイル（ＨＶＭ００００１．ＥＶＯ〜ＨＶＭ０００３．ＥＶＯ）と、透明度αを伴いＲＧＢ混合を行ういわゆるαブレンド（下の画像が見える形で上に別の画像を重畳表示することが出来る）でミキシングされ、画面上にボタン配置、ボタン・ハイライト表示、バックグラウンド・オーディオやスモール・アニメーションの再生が可能なメニュー用の高機能グラフィック・オブジェクト（このオブジェクトは、音声やベクター・グラフィックのアニメーションを組合せてコンテンツを構成するＭａｃｒｏｍｅｄｉａ  Ｆｌａｓｈ（マクロメディア・フラッシュ）（登録商標、以下同様）技術等を用いる）の再生データ・ファイル（ＨＶＭ００００１．ＡＧＯ）とが格納される。
【００３０】
さらに、前記ＨＶＤＶＤ＿ＴＳディレクトリのタイトル・セット＃ｎのグループに属する前記再生データ・ファイル（ＨＶＴｘｘｘｙｙ．ＥＶＯ：ｘｘｘ＝００１〜９９９、ｙｙ＝０１〜９９）に対して透明度αを伴いＲＧＢ混合を行うαブレンドでミキシングされ、画面上にボタン配置、ボタン・ハイライト表示、バックグラウンド・オーディオやスモール・アニメーションの再生がタイトルコンテンツと共に再生可能な高機能グラフィック・オブジェクト（このオブジェクトは音声やベクター・グラフィックのアニメーションを組合せてコンテンツを構成するＭａｃｒｏｍｅｄｉａ  Ｆｌａｓｈ技術等を用いる）の再生データ・ファイル（ＨＶＴｘｘｘｙｙ．ＡＧＯ：ｘｘｘ＝００１〜９９９、ｙｙ＝０１〜９９）と、タイトル・セット＃ｎ用拡張ビデオ・オブジェクト・セット中に収録され、字幕として利用される副映像データに替えて高精細な字幕として再生可能な高精細テキスト・オブジェクト（オープン・フォント等）の再生データ・ファイル（ＨＶＴｘｘｘｙｙ．ＡＴＯ：ｘｘｘ＝００１〜９９９、ｙｙ＝０１〜９９）とが格納される。
【００３１】
さらに、拡張ビデオ・オブジェクト・セット（ＥＶＯ拡張子）と共に再生可能な前記高機能グラフィック・オブジェクト（．ＡＧＯ拡張子）及び高精細テキスト・オブジェクト（．ＡＴＯ拡張子）の再生条件（タイミング、位置、サイズ等）やユーザ・アクション条件（動作規定、有効期間等）をＸＭＬベース言語等のマークアップ言語で記述し、再生シーケンスを予め定義する再生シーケンスＰＳＱ用の制御情報ファイル（ＨＶＩ０００００．ＰＳＱ）が格納される。
【００３２】
図３は、図１（ｅ）に示したビデオ・マネージャ情報領域（ＶＭＧＩ）３１の詳細なデータ構造を示す図である。同図に示すように、ビデオ・マネージャ情報領域（ＶＭＧＩ）３１は、ビデオ・データ記録領域２０内に記録されたものとＤＶＤビデオコンテンツ全体に共通する管理情報を纏めて記録したビデオ・マネージャ情報管理テーブル（ＶＭＧＩ＿ＭＡＴ）情報３１０、ＤＶＤビデオ・コンテンツ内に存在する各タイトルの検索（頭出し位置検出）に役立つ情報が記録されたタイトル・サーチポインタ・テーブル（ＴＴ＿ＳＲＰＴ）情報３１１、メニューを表示するメニュー記述言語コード毎に分けられて配置されたメニュー画面の管理情報が記録されているビデオ・マネージャ・メニューＰＧＣＩユニット・テーブル（ＶＭＧＭ＿ＰＧＣＩ＿ＵＴ）情報３１２、子供に見せても良い映像及び見せるには相応しくない映像をパレンタル情報として管理する情報が記録されたパレンタル管理情報テーブル（ＰＴＬ＿ＭＡＩＴ）情報３１３、タイトル・セットの属性に関してまとめて記録されているビデオ・タイトル・セット属性情報テーブル（ＶＴＳ＿ＡＴＲＴ）情報３１４、ユーザに表示するテキスト情報がまとまって記録されたテキスト・データ・マネージャ（ＴＸＴＤＴ＿ＭＧ）情報３１５、メニュー画面を構成するセルの開始アドレスの検索に役立つ情報が記録されたビデオ・マネージャ・メニュー・セル・アドレス・テーブル（ＶＭＧＭ＿Ｃ＿ＡＤＴ）情報３１６、メニュー画面を構成するビデオ・オブジェクトの最小単位を示すＶＯＢＵのアドレス情報が記録されたビデオ・マネージャ・メニュー・拡張ビデオ・オブジェクト・ユニット・アドレス・マップ（ＶＭＧＭ＿ＥＶＯＢＵ＿ＡＤＭＡＰ）情報３１７を有する。
【００３３】
図４は、図１（ｆ）に示したビデオ・タイトル・セット情報領域（ＶＴＳＩ）４１内の詳細なデータ構造を示す図である。同図に示す様に、ビデオ・タイトル・セット情報領域（ＶＴＳＩ）４１内には、ビデオ・タイトル・セット情報管理テーブル（ＶＴＳＩ＿ＭＡＴ）４１０、ビデオ・タイトル・セットＰＴＴサーチ・ポインタ・テーブル（ＶＴＳ＿ＰＴＴ＿ＳＲＰＴ）４１１、ビデオ・タイトル・セット・プログラム・チェーン情報テーブル（ＶＴＳ＿ＰＧＣＩＴ）４１２、ビデオ・タイトル・セット・タイム・マップ・テーブル（ＶＴＳ＿ＴＭＡＰＴ）４１３、ビデオ・タイトル・セット・セル・アドレス・テーブル（ＶＴＳ＿Ｃ＿ＡＤＴ）４１４、ビデオ・タイトル・セット・拡張ビデオ・オブジェクト・ユニット・アドレス・マップ（ＶＴＳ＿ＶＯＢＵ＿ＡＤＭＡＰ）４１５の各領域（管理情報グループ）に分かれている。
【００３４】
ビデオ・タイトル・セット情報管理テーブル（ＶＴＳＩ＿ＭＡＴ）４１０には該当するビデオ・タイトル・セットに共通する管理情報が記録されている。この共通する管理情報をビデオ・タイトル・セット情報領域（ＶＴＳＩ）４１の中で最初の領域（管理情報グループ）に配置する事で即座にビデオタイトルセット内の共通管理情報を読み込めるので、情報再生装置の再生制御処理の簡素化と制御処理時間の短縮化が図れる。
【００３５】
図５は、図４で示したビデオ・タイトル・セット・プログラム・チェーン情報テーブル（ＶＴＳ＿ＰＧＣＩＴ）４１２内のデータ構造を示す。同図に示す様に、ビデオ・タイトル・セット・プログラム・チェーン情報テーブル（ＶＴＳ＿ＰＧＣＩＴ）４１２の中は、ＶＴＳ＿ＰＧＣＩ＿ＳＲＰの数（ＶＴＳ＿ＰＧＣＩ＿ＳＲＰ＿Ｎｓ）とＶＴＳ＿ＰＧＣＩＴの終了アドレス（ＶＴＳ＿ＰＧＣＩＴ＿ＥＡ）の情報が含まれるビデオ・タイトル・セットＰＧＣＩ情報テーブル（ＶＴＳ＿ＰＧＣＩＴＩ）４１２１の情報が記録されている。また、ＶＴＳ＿ＰＧＣカテゴリ（ＶＴＳ＿ＰＧＣ＿ＣＡＴ）と共にＶＴＳ＿ＰＧＣＩサーチポインタ（ＶＴＳ＿ＰＧＣＩ＿ＳＲＰ）４１２２内には、ビデオ・タイトル・セット・プログラム・チェーン（ＶＴＳ＿ＰＧＣＩ）４１２３（プログラム・チェーンについては、後述）の先頭アドレス（ＶＴＳ＿ＰＧＣＩ＿ＳＡ）の情報も記録されている。
【００３６】
図６は、図３で示したビデオ・マネージャ・メニューＰＧＣＩユニット・テーブル（ＶＭＧＭ＿ＰＧＣＩ＿ＵＴ）情報３１２中に格納されるＶＭＧＭ＿ＰＧＣＩ（図示せず）、または図４で示したビデオ・タイトル・セット・プログラム・チェーン情報テーブル（ＶＴＳ＿ＰＧＣＩＴ）４１２中に格納されるＶＴＳ＿ＰＧＣＩ  ４１２３（図５）のプログラム・チェーン情報（ＰＧＣＩ：Ｐｒｏｇｒａｍ  Ｃｈａｉｎ  Ｉｎｆｏｒｍａｔｉｏｎ）内のデータ構造を示したものである。
【００３７】
プログラム・チェーン情報（ＰＧＣＩ）内には、プログラム・チェーン一般情報（ＰＧＣ＿ＧＩ）５０、プログラム・チェーン・コマンド・テーブル（ＰＧＣ＿ＣＭＤＴ）５１、プログラム・チェーン・プログラム・マップ（ＰＧＣ＿ＰＧＭＡＰ）５２、セル再生情報テーブル（Ｃ＿ＰＢＩＴ）５３、セル位置情報テーブル（Ｃ＿ＰＯＳＩＴ）５４から構成されている。
【００３８】
プログラム・チェーン・プログラム・マップ（ＰＧＣ＿ＰＧＭＡＰ）５２内は各エントリに対応したセルの番号を示すエントリ・セル番号（ＥＮ＿ＣＮ）が記録されたプログラム用エントリ・セル番号５２０情報がエントリ数だけ配置されている。またセル位置情報テーブル（Ｃ＿ＰＯＳＩＴ）５４はセルのＥＶＯＢ  ＩＤ番号（Ｃ＿ＥＶＯＢ＿ＩＤＮ）とセルのセルＩＤ番号（Ｃ＿ＩＤＮ）の情報が組になって構成されたセル位置情報（Ｃ＿ＰＯＳＩ）５４０が順に配置された構造をしている。
【００３９】
図７は、図６のプログラム・チェーン情報（ＰＧＣＩ）内のデータ構造の続きを示したものである。ＰＧＣを構成する個々のセルに関する管理情報が該当するＰＧＣの管理情報であるＰＧＣＩ内のセル再生情報テーブル（Ｃ＿ＰＢＩＴ）５３内は、１つ以上のセル再生情報（Ｃ＿ＰＢＩ）５３０から構成される。
【００４０】
上記セル再生情報（Ｃ＿ＰＢＩ）５３０内には、該当するセルがマルチアングルに対応したインターリーブドブロックを構成しているか、それとも一般的な連続ブロックの一部かを示すと共に、マルチアングルに対応したインターリーブドブロックの一部を構成していた場合にそのインターリーブドブロックの先頭セルあるいは最終セルに該当するかを示すセルカテゴリ（Ｃ＿ＣＡＴ）、該当するセル全体を再生する時に必要な再生時間を表すセル再生時間（Ｃ＿ＰＢＴＭ）、セルの先頭ＥＶＯＢＵの先頭アドレス位置情報（Ｃ＿ＦＥＶＯＢＵ＿ＳＡ）、セルの先頭ＩＬＶＵの終了アドレス位置情報（Ｃ＿ＦＩＬＶＵ＿ＥＡ）、セルの最終ＥＶＯＢＵの先頭アドレス位置情報（Ｃ＿ＬＥＶＯＢＵ＿ＳＡ）、セルの最終ＥＶＯＢＵの終了アドレス位置情報（Ｃ＿ＬＥＶＯＢＵ＿ＥＡ）、各セル毎に指定されるセルコマンドのシーケンシャル処理を開始する最初のセルコマンド番号に関する情報であるセルコマンド開始番号情報（Ｃ＿ＣＭＤ＿ＳＮ）、前記セルコマンド開始番号情報（Ｃ＿ＣＭＤ＿ＳＮ）で指定されたセルコマンド含めて連続にコマンド処理を実行するコマンド数を表すセルコマンド連続数情報（Ｃ＿ＣＭＤ＿Ｃ＿Ｎｓ）などの情報が記録されている。
【００４１】
本実施の形態においては、次の２つのプロファイルを定義する。
【００４２】
（１）基準プロファイル（Ｂａｓｅｌｉｎｅ  ｐｒｏｆｉｌｅ）
＜再生制御＞
・再生順は、ＤＶＤビデオにおける再生シーケンスの基本単位である図５に示すプログラム・チェーン（ＶＴＳ＿ＰＧＣＩ）４１２３が基本となり、拡張ビデオ・オブジェクト（ＥＶＯＢ）を再生制御する。
【００４３】
・加えて、拡張ビデオ・オブジェクト（ＥＶＯＢ）と共に再生可能な高機能グラフィック・オブジェクト（ＡＧＯＢ）と高精細テキスト・オブジェクト（ＡＴＯＢ）の再生条件（タイミング、位置、サイズ等）を、ＸＭＬベース言語によって再生制御可能な再生シーケンス（ＰＳＱ）として、予め定義できる。また、これらをαブレンドで重ね書きができる。
【００４４】
・拡張ビデオ・オブジェクト（ＥＶＯＢ）は、フルスクリーン表示され、スケーリングは行わない。
【００４５】
＜再生オブジェクト＞
・拡張ビデオ・オブジェクト（ＥＶＯＢ）及び高機能グラフィック・オブジェクト（ＡＧＯＢ）、高精細テキスト・オブジェクト（ＡＴＯＢ）の３つの再生オブジェクトが定義される。
【００４６】
・拡張ビデオ・オブジェクト（ＥＶＯＢ）は、従来のＤＶＤビデオの再生オブジェクトと同様に、複数のストリームをＭＰＥＧプログラム・ストリームにマルチプレックスしたもので、ストリームを高精細対応等、拡張したものである。
【００４７】
・高機能グラフィック・オブジェクト（ＡＧＯＢ）は、前記拡張ビデオ・オブジェクト（ＥＶＯＢ）に対して、透明度αを伴いＲＧＢ混合を行うαブレンドでミキシングすることが可能で、ミキシング画面上にボタン配置、ボタンのハイライト表示、バックグラウンド・オーディオやスモール・アニメーションの再生が可能である（このオブジェクトは、音声やベクター・グラフィックのアニメーションを組合せてコンテンツを構成するＭａｃｒｏｍｅｄｉａ  Ｆｌａｓｈ技術などを用いる）。
【００４８】
・高精細テキスト・オブジェクト（ＡＴＯＢ）は、前記拡張ビデオ・オブジェクト（ＥＶＯＢ）内にマルチプレックスされ、字幕用途に利用される副映像ストリーム（低解像度：ビットママップ方式）に加えて、定義することができる。再生時に、前記副映像ストリームに替えて、高精細字幕（ベクター方式）を再生することができる。
【００４９】
＜ネット接続機能＞
・制限付きでインターネット接続が可能である。
【００５０】
・拡張ビデオ・オブジェクト（ＥＶＯＢ）と、インターネット接続で入手するその他のオブジェクトとを、同時に再生可能である。しかし、その間の同期関係は規定しない。
【００５１】
・ユーザがインターネット接続のタイミングを決定する。しかし、接続可能範囲は、コンテンツ供給者によって制御される。
【００５２】
＜その他機能＞
・拡張ビデオ・オブジェクト（ＥＶＯＢ）と、メモリカード等の外部デバイスから供給されるその他のオブジェクトとを、同時に供給される再生シーケンス（ＰＳＱ）を用いて、同期再生することができる。
【００５３】
（２）拡張プロファイル（Ｅｎｈａｎｃｅｄ  ｐｒｏｆｉｌｅ）
基準プロファイルに加え、以下のプロファイルもサポートする。
【００５４】
＜再生制御＞
・再生順は、ＤＶＤビデオにおける再生シーケンスの基本単位である図５に示すプログラム・チェーン（ＶＴＳ＿ＰＧＣＩ）４１２３が基本となり、拡張ビデオ・オブジェクト（ＥＶＯＢ）を再生制御する。しかし、プログラマブル再生シーケンス（ＰＰＳＱ）によって再生順序を変更できる。
【００５５】
・プログラマブル再生シーケンス（ＰＰＳＱ）は、各オブジェクトの再生タイミングを何らかのトリガ（例えば、時間やＡＰＩとして定義されるイベント）によって制御することができる。また、スケーリング機能（任意の位置、サイズ等を指定可）を有する。
【００５６】
・プログラマブル再生シーケンス（ＰＰＳＱ）は、例えば、ＥＣＭＡスクリプト、ＪＡＶＡ（Ｒ）プログラム、フラッシュ中のアクションスクリプト等を用いて行う。
【００５７】
・拡張ビデオ・オブジェクト（ＥＶＯＢ）は、スケーリングが可能。
【００５８】
＜再生オブジェクト＞
・基準プロファイルで定義されるオブジェクトに加え、オーディオ・ストリーミング・オブジェクト（ＡＳＯＢ）、静止画イメージ・オブジェクト（ＳＩＯＢ）、拡張テキスト・オブジェクト（ＥＴＯＢ）、その他のオブジェクト（ＡＶストリーミング・オブジェクト等）を定義する。
【００５９】
・オーディオ・ストリーミング・オブジェクト（ＡＳＯＢ）は、監督などが作品の解説を行う音声解説（オーディオ・コメンタリ）等の用途で、ＤＶＤビデオのタイトル全編で、本編の音声にミキシング制御されて再生される。また、本編の音声のみ、音声解説のみ、音声両方という様に音声を切替えることもできる。
【００６０】
・静止画イメージ・オブジェクト（ＳＩＯＢ）は、ユーザが撮影した写真や、インターネット上で配布される静止画データなどであり、単にスライドショー的に再生することもできる。画像形式は、ＪＰＥＧ、ＰＮＧなどで構成される。
【００６１】
・拡張テキスト・オブジェクト（ＥＴＯＢ）は、スクリプト画面上のテキストや、メッセージ等に利用される。
【００６２】
＜ネット接続機能＞
・インターネット接続が可能である。
【００６３】
・拡張ビデオ・オブジェクト（ＥＶＯＢ）と、インターネット接続で入手するその他のオブジェクトとの、同期再生が可能である。
【００６４】
・インターネット接続のタイミングは、ユーザが決定する又はディスクのコンテンツ供給者が意図したタイミング（ディスクの再生時間や位置等）で接続を決定する。
【００６５】
・ディレクターとディスク収録の映画等の作品に関する意見交換ができるチャット機能。
【００６６】
・ディスク収録の作品に関連するコンテンツや情報をインターネット接続で入手できる機能。
【００６７】
・ディスク上に隠されたコンテンツの再生をインターネット接続で許可する機能。
【００６８】
・ディスク収録の作品に関連するグッズの販売をインターネット接続で契約する機能。
【００６９】
上記の様に、基準プロファイル及び拡張プロファイルの２種類のプロファイルを定義したので、各プロファイルに従って、基準プロファイル用プレーヤ及び基準プロファイルを含めた拡張プロファイル用プレーヤの２種類のプレーヤを段階的に構築することが可能となる。
【００７０】
図８は、基準プロファイルのコンテンツ・イメージをマトリックス化して表示した一例である。同図に示す様に、横軸にはサポートするオブジェクトの種類及び再生シーケンス（ＰＳＱ）がとられ、縦軸にはコンテンツを構成するグループがとられ、全体のマトリックスが構成される。
【００７１】
サポートするオブジェクトは、ＤＶＤビデオの拡張ビデオ・オブジェクト（ＥＶＯＢ）、高機能グラフィック・オブジェクト（ＡＧＯＢ）及び高精細テキスト・オブジェクト（ＡＴＯＢ）である。また、同図において、これらのオブジェクトを再生する単位として、メニューとタイトルのグループを定義し、各々のグループ内において、指定された各オブジェクトのαブレンド再生が可能である。
【００７２】
メニュー・グループは、拡張ビデオ・オブジェクト（ＥＶＯＢ）として、ＶＭＧＭ＿ＥＶＯＢｓが設定され、このオブジェクトを再生制御するプログラム・チェーン（ＰＧＣ）が格納される管理情報のビデオ・マネージャ情報（ＶＭＧＩ）を有する。また、高機能グラフィック・オブジェクト（ＡＧＯＢ）として、ＡＧＯＢ＃１が設定されている。
【００７３】
タイトル・セット＃１グループは、拡張ビデオ・オブジェクト（ＥＶＯＢ）として、ＶＴＳＴＴ＿ＥＶＯＢｓが設定され、このオブジェクトを再生制御するプログラム・チェーン（ＰＧＣ）が格納される管理情報のビデオ・タイトル・セット＃１情報（ＶＴＳＩ＃１）を有する。また、高機能グラフィック・オブジェクト（ＡＧＯＢ）として、ＡＧＯＢ＃２が設定されている。さらに、このグループでは、タイトル本編が再生されるので、替りの字幕である高精細テキスト・オブジェクト（ＡＴＯＢ）として、ＡＴＯＢ＃１が設定されている。
【００７４】
同様に、タイトル・セット＃２グループは、拡張ビデオ・オブジェクト（ＥＶＯＢ）として、ＶＴＳＴＴ＿ＥＶＯＢｓが設定され、このオブジェクトを再生制御するプログラム・チェーン（ＰＧＣ）が格納される管理情報のビデオ・タイトル・セット＃２情報（ＶＴＳＩ＃２）を有する。また、高機能グラフィック・オブジェクト（ＡＧＯＢ）として、ＡＧＯＢ＃３が設定されている。さらに、このグループでは、タイトル本編が再生されるので、代わりの字幕である高精細テキスト・オブジェクト（ＡＴＯＢ）として、ＡＴＯＢ＃２が設定されている。
【００７５】
各グループに設定される高機能グラフィック・オブジェクト（ＡＧＯＢ）と、高精細テキスト・オブジェクト（ＡＴＯＢ）は、各グループの管理情報（ＶＭＧＩ及びＶＴＳＩ）内に定義されるプログラム・チェーンとは別に定義された再生シーケンス（ＰＳＱ）により、全て再生管理される。
【００７６】
同図の例では、グループをメニューとタイトルの２つのグループに分けて記述したが、単にグループとし、メニュー及びタイトルでグループを区別しなくともよい。
【００７７】
図９は、基準プロファイルのシステム・ブロック図の一例を示す。同図において、ＤＶＤディスク１０１は、本実施の形態のデータ構成を有するディスクである。このディスク１０１から読み出される再生シーケンス（ＰＳＱ）１０２は、再生シーケンス解読器１０３にて再生シーケンス（ＰＳＱ）１０２に記述されるＤＶＤビデオの拡張ビデオ・オブジェクト以外の各オブジェクトの再生条件（再生タイミング、再生位置、再生サイズなど）が解読され、その再生制御がなされる。
【００７８】
また、ＤＶＤディスク１０１から読み出される拡張ビデオ・オブジェクト（ＥＶＯＢ）はＤＶＤビデオ再生エンジン１０４に送られ、マルチプレックスされたＭＰＥＧプログラム・ストリームをデ・マルチプレックスし、ビデオ及び副映像ストリーム毎に対応するデコーダ（図示せず）でデコード処理され、各データはαブレンドによるミキシング部１０８へと送られる。
【００７９】
さらに、ＤＶＤディスク１０１から読み出される高機能グラフィック・オブジェクト（ＡＧＯＢ）及び高精細テキスト・オブジェクト（ＡＴＯＢ）は、グループ単位で使用される高機能グラフィック／高精細テキスト・オブジェクト用のバッファ１０５に一旦格納され、高機能グラフィック・オブジェクト（ＡＧＯＢ）は高機能グラフィック再生エンジン１０６へ、高精細テキスト・オブジェクト（ＡＴＯＢ）は高精細テキスト再生エンジン１０７へ送られ、それぞれの再生エンジンで再生シーケンス（ＰＳＱ）に従って再生制御（再生タイミング、再生位置及び再生サイズ等）が決定され、αブレンドによるミキシング部１０８へと送られる。
【００８０】
ミキシング部１０８では、送られてきた各オブジェクトを透過度αを伴いＲＧＢミキシングを施し、画像合成を行なって出力画像を生成する。
【００８１】
なお、高機能グラフィック・オブジェクト（ＡＧＯＢ）及び高精細テキスト・オブジェクト（ＡＴＯＢ）は、ＤＶＤディスク１０１以外の別の媒体、例えばメモリカード１０９、あるいはインターネット（Ｗｅｂ）１１０接続経由でバッファ１０５に取り込んで使用しても良い。
【００８２】
図１０は、拡張プロファイルのコンテンツ・イメージの一例をマトリックス化して表示したものである。同図に示す様に、横軸にはサポートするオブジェクトの種類（基準プロファイル用と拡張プロファイル用）及びプログラマブル再生シーケンス（ＰＰＳＱ）がとられ、縦軸にはコンテンツを構成するアプリケーション・グループがとられ、全体のマトリックスが構成される。ここで、サポートするオブジェクトは、基準プロファイル用オブジェクトであるＤＶＤビデオの拡張ビデオ・オブジェクト（ＥＶＯＢ）及び高機能グラフィック・オブジェクト（ＡＧＯＢ）、高精細テキスト・オブジェクト（ＡＴＯＢ）に加え、拡張プロファイル用オブジェクトであるオーディオ・ストリーミング・オブジェクト（ＡＳＯＢ）及び静止画イメージ・オブジェクト（ＳＩＯＢ）、拡張テキスト・オブジェクト（ＥＴＯＢ）、その他のオブジェクト（ＡＶストリーミング・オブジェクト等）である。
【００８３】
また、同図において、これらのオブジェクトを再生する単位としてアプリケーション・グループを定義し、各々のアプリケーション・グループ内において、指定された各オブジェクトのαブレンド再生が可能である。
【００８４】
アプリケーション＃１グループで定義されるコンテンツは、基準プロファイル用オブジェクトとしてＥＶＯＢｓ＃１、ＡＧＯＢ＃１及びＡＴＯＢ＃１を有し、拡張プロファイル用オブジェクトとしてＡＳＯＢ＃１、ＳＩＯＢ＃１及びＥＴＯＢ＃１を有している。同様に、アプリケーション＃２グループで定義されるコンテンツは、基準プロファイル用オブジェクトとしてＥＶＯＢｓ＃２及びＡＧＯＢ＃２、ＡＴＯＢ＃２を有し、拡張プロファイル用オブジェクトとしてＡＳＯＢ＃２及びＳＩＯＢ＃２、ＥＴＯＢ＃２を有している。アプリケーション＃３グループも同様である。
【００８５】
また、同図において、基準プロファイル用オブジェクトの全てのオブジェクトと、拡張プロファイル用オブジェクトの全てのオブジェクトと、これらの再生制御を指示するプログラマブル再生シーケンス（ＰＰＳＱ）との間で、コマンド制御やステータス・データのやり取りを行う共通アプリケーション・プログラム・インターフェース（ＡＰＩ）が定義されている。このＡＰＩは、すべてのアプリケーション・グループで共通に使用できる。
【００８６】
図１１は、拡張プロファイルのシステム・ブロック図の一例を示す。同図において、ＤＶＤディスク１２１は、本実施の形態のデータ構成を有するディスクである。
【００８７】
ディスク１２１から読み出されるプログラマブル再生シーケンス（ＰＰＳＱ）１２２は、再生シーケンス解読及び翻訳器１２３にてプログラマブル再生シーケンス（ＰＰＳＱ）１２２に記述されている各オブジェクトの再生条件（再生タイミング、再生位置、再生サイズなど）を解読し、再生指示をインターフェース・ハンドラー１２４に与える。
【００８８】
また、ＤＶＤディスク１２１から読み出される拡張ビデオ・オブジェクト（ＥＶＯＢ）は、スケーリング機能を有するＤＶＤビデオ再生エンジン１２５に送られ、マルチプレックスされたＭＰＥＧプログラム・ストリームをデ・マルチプレックスし、ビデオ及び副映像ストリーム毎に対応のデコーダ（図示せず）でデコード処理される。
【００８９】
さらに、ＤＶＤディスク１２１から読み出される基準プロファイル用オブジェクト（高機能グラフィック・オブジェクト（ＡＧＯＢ）、高精細テキスト・オブジェクト（ＡＴＯＢ））及び拡張プロファイル用オブジェクト（オーディオ・ストリーミング・オブジェクト（ＡＳＯＢ）、静止画イメージ・オブジェクト（ＳＩＯＢ）、拡張テキスト・オブジェクト（ＥＴＯＢ）、その他のオブジェクト（ＡＶストリーミング・オブジェクト等））は、アプリケーションに使用されるオブジェクト用バッファ１２６に一旦格納され、高機能グラフィック・オブジェクト（ＡＧＯＢ）は高機能グラフィック再生エンジン１２７へ、高精細テキスト・オブジェクト（ＡＴＯＢ）は高精細テキスト再生エンジン１２８へ、その他は拡張オブジェクト再生エンジン１２９へと送られる。
【００９０】
再生シーケンス解読及び翻訳器１２３からの再生指示を受け取ったインターフェース・ハンドラー１２４は、それぞれの再生エンジンにおいて再生制御（再生タイミング、再生位置、再生サイズなどを制御）を行い、制御加工された夫々の再生データはレイアウト・エンジン１３０へと送られる。
【００９１】
レイアウト・エンジン１３０はスケーリング処理が施されて送られてきた再生データに対して、再生シーケンス解読及び翻訳器１２３からの指定されたレイアウトで画面レイアウトを構築し、αブレンドによるミキシング部１３１へとデータを送る。αブレンドによるミキシング部１３１では、送られてきた各再生データを透過度αを伴なったＲＧＢミキシングを施し、画像合成を行って出力画像を生成する。
【００９２】
また、アプリケーションに使用される各オブジェクトは、インターネット（Ｗｅｂ）１３２接続経由でバッファ１２６に取り込んで使用しても良い。
【００９３】
図１２乃至図１４は、本実施の形態の再生装置で再生される再生イメージの一例を示したものである。
【００９４】
図１２は、複数の高機能グラフィック・オブジェクト（ＡＧＯＢ）及び複数の高精細テキスト・オブジェクト（ＡＴＯＢ）に対する再生開始／再生終了のタイミングが１つのプログラム・チェーン（ＰＧＣ）先頭からの相対時間（相対ＰＴＳ：Ｐｒｅｓｅｎｔａｔｉｏｎ  Ｔｉｍｅ  Ｓｔａｍｐ）として定義されることを示したものである。また、これらの時間が自由に設定可能であることも示している。
【００９５】
同図に示す様に、高機能グラフィック＃１及び高精細テキスト＃１は共に開始時間ｔ１、終了時間ｔ２が設定され、同期して再生することができる。また、高機能グラフィック＃２は開始時間ｔ４、終了時間ｔ７が設定され、高精細テキスト＃２は開始時間ｔ３、終了時間ｔ５が設定されており、非同期再生での指定もできる。さらに、高機能グラフィック＃３は開始時間ｔ８、終了時間ｔ１０が設定され、高精細テキスト＃３は開始時間ｔ６、終了時間ｔ９が設定されており、高精細テキスト＃３は、高機能グラフィック＃２の再生区間とオーバーラップして指定できることを示している。
【００９６】
図１３は、複数の高機能グラフィック・オブジェクト（ＡＧＯＢ）がユーザからの切替要求によって再生切替がなされることを示している。同図に示す様に、複数の高機能グラフィックは、第１、第２、第３、・・・などのページとして、それぞれの再生開始タイミングのみが１つのプログラム・チェーン（ＰＧＣ）先頭からの相対時間（相対ＰＴＳ）として定義されている。また、それぞれの再生終了は指定されたプログラム・チェーン（ＰＧＣ）の終了で自動的に終了する。
【００９７】
同図中段はユーザの切替要求が発生しない場合を示し、指示された開始時間ｔ１からプログラム・チェーン（ＰＧＣ）の再生が終了するまで高機能グラフィックの第１ページを再生し続ける。また、同図下段は、ユーザの切替要求が発生した場合を示し、ユーザ切替要求１が発生した場合は新しいページ（高機能グラフィックの第２ページ）へ切替えて再生し、その後、ユーザ切替要求２が発生した場合には次の新しいページ（高機能グラフィックの第３ページ）へ切替えて再生し続けることを示している。
【００９８】
図１４は、図１３で示した高機能グラフィック・オブジェクト（ＡＧＯＢ）が複数のプログラム・チェーン（ＰＧＣ）間を跨って再生できることを示している。同図中段に示す様に、ユーザの切替要求が発生しない場合は、プログラム・チェーン（ＰＧＣ）＃１が終了しても、続いて再生するプログラム・チェーン（ＰＧＣ）＃２の再生終了まで高機能グラフィックの第１ページが再生されることを示している。また、同図下段は、再生途中でユーザの切替要求が発生した場合を示し、ユーザ切替要求３が発生した場合に、指定される高機能グラフィック第ｎページへ切替えて再生することを示している。
【００９９】
図１５は、基準プロファイルにおける画面構成例を示す。同図（ａ）は、従来の表示画面であるＤＶＤビデオモード（フルスクリーン表示）であり、拡張ビデオ・オブジェクト（ＥＶＯＢ）を再生表示した場合を示す。同図（ｂ）に示す様に、同図（ａ）のＤＶＤビデオモードの拡張ビデオ・オブジェクト（ＥＶＯＢ）に対して、αブレンドにより再生制御ボタンを有する高機能グラフィック・オブジェクト（ＡＧＯＢ）を再生制御メニューとして重畳させた例である。また、同図（ｃ）は、同図（ａ）のＤＶＤビデオモードでの副映像字幕（ビットマップ方式）に替えて、アウトラインフォント等の高精細テキスト・オブジェクト（ＡＴＯＢ）をαブレンドにより重畳させた例である。
【０１００】
図１６は、拡張プロファイルにおける画面構成例を示す。同図（ａ）は、図１５と同様、従来の表示画面であるＤＶＤビデオモード（フルスクリーン表示）であり、拡張ビデオ・オブジェクト（ＥＶＯＢ）を再生表示した場合を示す。同図（ｂ）は、表示エリアを幾つかに分割し、オブジェクトのサイズを変更してそれぞれのエリアに表示した例を示している。
【０１０１】
同例において、同図（ａ）のＤＶＤビデオモードの拡張ビデオ・オブジェクト（ＥＶＯＢ）をスケーリング機能により画面サイズを縮小して左上に配置し、高機能グラフィック・オブジェクト（ＡＧＯＢ）は右上に埋め込んでいる。また、高精細テキスト・オブジェクト（ＡＴＯＢ）は画面下半分に画面の説明文と共に表示している。さらに、画面左上の拡張ビデオ・オブジェクト（ＥＶＯＢ）には、風車情報へのホットスポット（マウスボタンを押すことで何らかの処理が実行される画面上の領域。以下、Ｖクリックとも言う。）７０１が重ねて設定され、ユーザがクリックすると、（風車に）関連する情報（図示せず）へとジャンプ再生することができる。
【０１０２】
ここで、高精細テキスト・オブジェクト（ＡＴＯＢ）等の再生条件を定義する再生シーケンス（ＰＳＱ）について、そのファイル構成及びその構成に基づく画面表示の例を詳細に説明する。
【０１０３】
図１７乃至図１８に再生シーケンス（ＰＳＱ）・ファイルの構成例を示す。再生シーケンス（ＰＳＱ）・ファイルはＸＭＬ言語で構成されており、最初にＸＭＬ言語であることが宣言され、次にＸＭＬ言語で構成された再生シーケンス（ＰＳＱ）・ファイルであることが宣言される。さらに、＜ｖｃｌｉｃｋｉｎｆｏ＞タグを用いて再生シーケンス（ＰＳＱ）・ファイルの内容を記述する。
【０１０４】
＜ｄｖｄ＿ｖｉｄｅｏ＞の領域は、０もしくは１つの＜ｖｍｇ＞タグと、０もしくは１つ以上の＜ｖｔｓ＞タグとから構成される。＜ｖｍｇ＞の領域はＤＶＤビデオにおけるＶＭＧ空間を表しており、＜ｖｍｇ＞の領域に記述された高機能グラフィック・オブジェクト（以下、グラフィック・オブジェクト）、高精細テキスト・オブジェクト（以下、テキスト・オブジェクト）、オーディオ・オブジェクト、Ｍａｒｋｕｐ言語オブジェクト、Ｖｃｌｉｃｋオブジェクトのような付加オブジェクトが、ＶＭＧ空間のＤＶＤビデオデータに付加されることを表している。また、＜ｖｔｓ＞の領域はＤＶＤビデオにおけるＶＴＳ空間を表しており、＜ｖｔｓ＞タグ内にｎｕｍ属性を付加することによりＶＴＳ空間の番号を指定している。例えば、＜ｖｔｓ  ｎｕｍ＝“ｎ”＞はｎ番目のＶＴＳ空間を示している。＜ｖｔｓ  ｎｕｍ＝“ｎ”＞の領域に記述された前述の付加オブジェクトは、ｎ番目のＶＴＳ空間を構成するＤＶＤビデオデータに付加されることを表している。
【０１０５】
＜ｖｍｇ＞の領域は０もしくは１以上の＜ｖｍｇｍ＞タグから構成される。＜ｖｍｇｍ＞の領域はＶＭＧ空間におけるＶＭＧメニュー・ドメインを表しており、＜ｖｍｇｍ＞タグ内にｎｕｍ属性を付加することによりＶＭＧメニュー・ドメインの番号を指定している。例えば、＜ｖｍｇｍ  ｎｕｍ＝“ｎ”＞はｎ番目のＶＭＧメニュー・ドメインを示している。＜ｖｍｇｍ  ｎｕｍ＝“ｎ”＞の領域に記述された前述の付加オブジェクトは、ｎ番目のＶＭＧメニュー・ドメインを構成するＤＶＤビデオデータに付加されることを表している。ここで、ＶＭＧ空間は言語ブロックで構成されている。つまり１つのＶＭＧメニュー・ドメインは１つの言語ユニットに対応する。従って、ＶＭＧメニュー・ドメインを番号ではなく言語コードにて管理することも可能である。この場合、ｎｕｍ属性の代わりに、ｌａｎｇ属性を用いて、＜ｖｍｇｍ  ｌａｎｇ＝“ｘｘ”＞（ｘｘ はＩＳＯ６３９で規定される言語コードを示す)で表すことができる。例えば、＜ｖｍｇｍ  ｌａｎｇ＝“ｊｐ”＞の場合、日本語で構成されているＶＭＧメニュー・ドメインを示し、＜ｖｍｇｍ  ｌａｎｇ＝“ｅｎ”＞の場合、英語で構成されているＶＭＧメニュー・ドメインを示す。
【０１０６】
さらに、＜ｖｍｇｍ＞の領域は、０もしくは１以上の＜ｐｇｃ＞タグから構成される。＜ｐｇｃ＞の領域はＶＭＧメニュー・ドメインにおけるＰＧＣ（Ｐｒｏｇｒａｍ  Ｃｈａｉｎ）を表しており、＜ｐｇｃ＞タグ内にｎｕｍ属性を付加することによりＰＧＣの番号を指定している。例えば、＜ｐｇｃ  ｎｕｍ＝“ｎ”＞はn番目のＰＧＣを示している。＜ｐｇｃ  ｎｕｍ＝“ｎ”＞の領域に記述された前述の付加オブジェクトは、ｎ番目のＰＧＣを構成するＤＶＤビデオデータに付加されることを表している。
【０１０７】
次に、＜ｖｔｓ＞の領域は、1つ以上の＜ｖｔｓ＿ｔｔ＞タグと、０もしくは１以上の＜ｖｔｓｍ＞タグとから構成される。
【０１０８】
＜ｖｔｓ＿ｔｔ＞の領域はＶＴＳ空間におけるタイトル・ドメインを表しており、＜ｖｔｓ＿ｔｔ＞タグ内にｎｕｍ属性を付加することにより、タイトル・ドメインの番号を指定している。例えば、＜ｖｔｓ＿ｔｔ  ｎｕｍ＝“ｎ”＞はｎ番目のタイトル・ドメインを示している。＜ｖｔｓ＿ｔｔ  ｎｕｍ＝“ｎ”＞の領域に記述された前述の付加オブジェクトは、ｎ番目のタイトル・ドメインを構成するＤＶＤビデオデータに付加されることを表している。
【０１０９】
また、＜ｖｔｓｍ＞の領域はＶＴＳ空間におけるＶＴＳメニュー・ドメインを表しており、＜ｖｔｓｍ＞タグ内にｎｕｍ属性を付加することによりＶＴＳメニュー・ドメインの番号を指定している。例えば、＜ｖｔｓｍ  ｎｕｍ＝“ｎ”＞はｎ番目のＶＴＳメニュー・ドメインを示している。＜ｖｔｓｍ＝“ｎ”＞の領域に記述された前述の付加オブジェクトは、ｎ番目のＶＴＳメニュー・ドメインを構成するＤＶＤビデオデータに付加されることを表している。
【０１１０】
ここで、ＶＴＳ空間は言語ブロックで構成されているため、すなわち１つのＶＴＳメニュー・ドメインは１つの言語ユニットに対応するため、ＶＴＳメニュー・ドメインを番号ではなく言語コードにて管理することも可能である。この場合、ｎｕｍ属性の代わりにｌａｎｇ属性を用いて、＜ｖｔｓｍ  ｌａｎｇ＝“ｘｘ”＞（ｘｘは、ＩＳＯ６３９で規定される言語コードを示す)で表すことができる。例えば、＜ｖｔｓｍ  ｌａｎｇ＝“ｊｐ”＞の場合は日本語で構成されているＶＴＳメニュー・ドメインを示し、＜ｖｔｓｍ  ｌａｎｇ＝“ｅｎ”＞の場合は英語で構成されているＶＴＳメニュー・ドメインを示す。
【０１１１】
さらに、＜ｖｔｓ＿ｔｔ＞の領域もしくは＜ｖｔｓｍ＞の領域は、０もしくは１つ以上の＜ｐｇｃ＞タグから構成される。＜ｐｇｃ＞の領域はタイトル・ドメインもしくＶＴＳメニュー・ドメインにおけるＰＧＣ（Ｐｒｏｇｒａｍ  Ｃｈａｉｎ）を表しており、＜ｐｇｃ＞タグ内にｎｕｍ属性を付加することによりＰＧＣの番号を指定している。例えば、＜ｐｇｃ  ｎｕｍ＝“ｎ”＞はｎ番目のＰＧＣを示している。＜ｐｇｃ  ｎｕｍ＝“ｎ”＞の領域に記述された前述の付加オブジェクトは、ｎ番目のＰＧＣを構成するＤＶＤビデオデータに付加されることを表している。
【０１１２】
図１７乃至図１８の例においては、４つの付加オブジェクトがＤＶＤビデオコンテンツに付加されている。例えば、最初のグラフィック・オブジェクトは、＜ｖｍｇ＞での＜ｖｍｇｍ  ｎｕｍ＝“１”＞における＜ｐｇｃ  ｎｕｍ＝“１”＞において、＜ｏｂｊｅｃｔ＞タグを用いて指定されている。これは、ＶＭＧ空間における１番目のＶＭＧメニュー・ドメインにおける1番目のＰＧＣに対して、＜ｏｂｊｅｃｔ＞タグにより指定された付加オブジェクトが付加されることを示している。
【０１１３】
＜ｏｂｊｅｃｔ＞タグでは、“ｄａｔａ"属性を用いて付加オブジェクトの存在する場所を示す。例えば、本例においては、“file://dvdrom:/adv_obj/hvt00101.ago"（図１７の８０１を参照）によりグラフィック・オブジェクトの存在する場所が指定されている。ここで、“file://dvdrom:/"はグラフィック・オブジェクトが情報記憶媒体（ディスク）内に存在することを示し、さらに、“adv_obj/"はディスク中の“ＡＤＶ＿ＯＢＪ"ディレクトリの下に存在することを示し、“hvt00101.ago"はグラフィック・オブジェクトのファイル名を示している。
【０１１４】
これにより、図１９に示すように、指定されたＤＶＤビデオコンテンツ８１１に対してグラフィック・オブジェクト８１２を付加することが可能になる。特にグラフィック・オブジェクト８１２はユーザからの操作を処理することができ、グラフィック・オブジェクト８１２内にてユーザからの操作に対してＤＶＤビデオコンテンツ８１１を制御するためのコマンドを割り当てることにより、ＤＶＤビデオコンテンツ８１１を制御するためのメニューとして用いることができる。
【０１１５】
次の付加オブジェクトは、＜ｖｍｇ＞での＜ｖｍｇｍ  ｎｕｍ＝“ｎ”＞における＜ｏｂｊｅｃｔ＞タグを用いて指定されている。これは、ＶＭＧ空間における１番目のＶＭＧメニュー・ドメイン全体に対して、＜ｏｂｊｅｃｔ＞タグにより指定された付加オブジェクトが付加されることを示している。＜ｏｂｊｅｃｔ＞タグでは、“ｄａｔａ”属性を用いて、付加オブジェクトの存在する場所を示す。例えば、本例においては、“http//www.hddvd.com/adv_obj/commentary.ac3"（図１７の８０２を参照）においてオーディオ・オブジェクトの存在する場所が指定されている。ここで、“http//www.hddvd.com/adv_obj/"はオーディオ・オブジェクトが外部のサーバ内に存在することを示し、“commentary.ac3"はオーディオ・オブジェクトのファイル名を示している。
【０１１６】
これにより図２０に示すように、指定されたＤＶＤビデオコンテンツに対してオーディオ・オブジェクトを付加することが可能になる。例えば、ＤＶＤビデオコンテンツ８２１の音声８２２、８２３に対して、外部サーバから配信された（もしくはディスクにあらかじめ記録された）監督や出演者の解説の音声８２４を付加することが可能になる。（オーディオ・コメンタリ）
３番目の付加オブジェクトは、＜ｖｔｓ  ｎｕｍ＝“１”＞での＜ｖｔｓ＿ｔｔ  ｎｕｍ＝“１”＞における＜ｐｇｃ  ｎｕｍ＝“１”＞において、＜ｏｂｊｅｃｔ＞タグを用いて指定されている。これは、１番目のＶＴＳ空間において１番目のタイトル・ドメインにおける1番目のＰＧＣに対して、＜ｏｂｊｅｃｔ＞タグにより指定された付加オブジェクトが付加されることを示している。＜ｏｂｊｅｃｔ＞タグでは、“ｄａｔａ”属性を用いて付加オブジェクトの存在する場所を示す。例えば、本例においては、“file://dvdrom:/adv_obj/hotspot.vck"（図１８の８０３を参照）においてＶｃｌｉｃｋオブジェクトの存在する場所が指定されている。ここで、“file://dvdrom:/adv_obj/"はＶｃｌｉｃｋオブジェクトがディスク中の“ＡＤＶ＿ＯＢＪ”ディレクトリの下に存在することを示し、“hotspot.vck"はＶｃｌｉｃｋオブジェクトのファイル名を示している。
【０１１７】
これにより、図２１に示すように、指定されたＤＶＤビデオコンテンツ８３１に対してＶｃｌｉｃｋオブジェクト８３２、８３３を付加することが可能になる。ここで、Ｖｃｌｉｃｋオブジェクトとは、ＤＶＤビデオコンテンツに対してクリック可能な領域を示すと共に、クリック後の動作を記述できるオブジェクトを示す。すなわち、図２１においては、ＤＶＤビデオコンテンツ８３１による２人の人物に対してそれぞれＶｃｌｉｃｋオブジェクト８３２、８３３が付加されている。さらに、それぞれのオブジェクト８３２、８３３に対して、それを説明するためのテキスト８３４、８３５を表示することもできる。なお、８３６はＤＶＤビデオコンテンツ８３１による音声を示す。
【０１１８】
例えば、ユーザが画面右側のＶｃｌｉｃｋオブジェクト８３３を選択（クリック）した場合、それに対応する動作がＶｃｌｉｃｋオブジェクト８３３内に記述されており、それにしたがって再生装置は動作する。本例においては、ユーザのクリックに対して、Ｍａｒｋｕｐページ８３７の再生が記述されており、更にＤＶＤビデオコンテンツの縮小を指示する記述がされている（縮小されたＤＶＤビデオコンテンツを８３８で示す）。
【０１１９】
４番目のＶｃｌｉｃｋストリームは、＜ｖｔｓ  ｎｕｍ＝“１”＞における＜ｖｔｓ＿ｔｔ  ｎｕｍ＝“ｎ”＞において、＜ｏｂｊｅｃｔ＞タグを用いて指定されている。これは、１番目のＶＴＳ空間における、n番目のタイトル・ドメインにおいて、＜ｏｂｊｅｃｔ＞タグにより指定された付加オブジェクトが付加されることを示している。
【０１２０】
＜ｏｂｊｅｃｔ＞タグでは、“ｄａｔａ"属性を用いて付加オブジェクトの存在する場所を示す。例えば本実施の形態においては、“file://dvdrom:/adv_obj/index.xhtm"（図１８の８０４を参照）においてＭａｒｋｕｐ言語オブジェクトの存在する場所が指定されている。ここで、“file://dvdrom:/adv_obj/"は、Ｍａｒｋｕｐ言語オブジェクトがディスク中の“ＡＤＶ＿ＯＢＪ"ディレクトリの下に存在することを示し、“index.xhtm"はＭａｒｋｕｐ言語オブジェクトのファイル名を示している。これにより、図２２を用いて後述するように、指定されたＤＶＤビデオコンテンツ（図２２の８４２を参照）に対してＭａｒｋｕｐ言語オブジェクト（図２２の８４３乃至８４５を参照）を付加することが可能になる。
【０１２１】
さらに、５番目のＶｃｌｉｃｋストリームも、＜ｖｔｓ  ｎｕｍ＝“１”＞における＜ｖｔｓ＿ｔｔ  ｎｕｍ＝“ｎ”＞において、＜ｏｂｊｅｃｔ＞タグを用いて指定されている。これは、１番目のＶＴＳ空間におけるｎ番目のタイトル・ドメインにおいて、＜ｏｂｊｅｃｔ＞タグにより指定された付加オブジェクトが付加されることを示している。つまり、１番目のＶＴＳ空間におけるｎ番目のタイトル・ドメインには２つの付加オブジェクトが付加されていることを示す。
【０１２２】
＜ｏｂｊｅｃｔ＞タグでは、“ｄａｔａ"属性を用いて付加オブジェクトの存在する場所を示す。例えば、本例においては、“file://dvdrom:/adv_obj/hvt00101.ato"（図１８の８０５を参照）においてテキスト・オブジェクトの存在する場所が指定されている。ここで、“file://dvdrom:/adv_obj/"はテキスト・オブジェクトがディスク中の“ＡＤＶ＿ＯＢＪ"ディレクトリの下に存在することを示し、“hvt00101.ato"はテキスト・オブジェクトのファイル名を示している。これにより、図２２を用いて後述するように、指定されたＤＶＤビデオコンテンツ（図２２の８４２を参照）に対して高精細テキスト・オブジェクト（図２２の８４６を参照）を付加することが可能になる。
【０１２３】
図２２に、背景、テキスト、画像を構成するＭａｒｋｕｐオブジェクトと、縮小されたＤＶＤビデオコンテンツと、ＤＶＤビデオコンテンツ上に配置された高精細テキスト・オブジェクトとから構成される画面の例を示す。図中、８４１はＭａｒｋｕｐページであり、８４２は縮小されたＤＶＤビデオコンテンツ、８４３はＭａｒｋｕｐにより呼び出された画像、８４４はＭａｒｋｕｐによる背景、８４５はＭａｒｋｕｐによるテキスト、８４６は縮小されたＤＶＤビデオコンテンツ８４２に重畳された高精細テキストオブジェクトによるテキストである。
【０１２４】
図２３は、前述の再生シーケンス（ＰＳＱ）の記述例にて記述された付加オブジェクトとＤＶＤビデオコンテンツの関係を示す図である。
【０１２５】
図２４乃至図２７には、再生シーケンス（ＰＳＱ）・ファイルの別の記述例（計９例）を示す。最初の例（図２４の８５１を参照）においては、１つのＰＧＣ（ＰＧＣ＃１）に対して、ディスク上に記録されている１つのグラフィック・オブジェクト（グラフィック・オブジェクト＃１）が付加されている。ここで、＜ｏｂｊｅｃｔ＞タグ内の“ｗｉｄｔｈ"、“ｈｅｉｇｈｔ"、“ｐｏｓｉｔｉｏｎ"、“ｓｔａｒｔ"、“ｅｎｄ"、“ｐｒｉｏｒｉｔｙ"属性が記述されている。
【０１２６】
“ｗｉｄｔｈ"属性は、付加オブジェクトを表示する際の横方向の長さをピクセル単位で表している。“ｈｅｉｇｈｔ"属性は、付加オブジェクトを表示する際の縦方向の長さをピクセル単位で表している。ここで、“ｗｉｄｔｈ／ｈｅｉｇｈｔ"で指定された長さが、付加オブジェクトがもつ元々の長さよりも短い場合は付加オブジェクトの縮小を行い、付加オブジェクトがもつ元々の長さよりも長い場合は付加オブジェクトの拡大を行う。
【０１２７】
“ｐｏｓｉｔｉｏｎ"属性は、付加オブジェクトを表示する際の座標位置をピクセル単位で表している。ここで、座標位置は、左上端を基点“（０，０）”とし、横軸をｘ座標、縦軸をｙ座標とした“（ｘ，ｙ）”で表すことができる。
【０１２８】
ここで、上記“ｗｉｄｔｈ"、“ｈｅｉｇｈｔ"、“ｐｏｓｉｔｉｏｎ"属性は、以下説明するように、“ｓｔｙｌｅ”属性を用いて示すことも可能である。
【０１２９】
<OBJECT style="position:fixed;top:X1px;left:Y1px;width:X2px;height:Y2px"
data="dvd://hvdvd_ts/hvi00001.ifo"/>
上記において、“top:X1px”はオブジェクト（以下の例ではＤＶＤビデオコンテンツ）を配置する位置の画面左上からのＸ座標を表す（Ｘ１はピクセル値を表す）。“left:Y1px”はオブジェクトを配置する位置の画面左上からのＹ座標を表す（Ｙ１はピクセル値を表す）。これらは前述の“ｐｏｓｉｔｉｏｎ”属性で指定する情報と等価である。また、“width:X2px”は配置するオブジェクトの横方向の長さを示す（Ｘ２はピクセル値を表す）。これは前述の“ｗｉｄｔｈ”属性で指定する情報と等価である。さらに、“height:Y2px”は配置するオブジェクトの縦方向の長さを示す（Ｙ２はピクセル値を表す）。これは前述の“ｈｅｉｇｈｔ”属性で指定する情報と等価である。また、“position:fixed”は、配置方法が絶対位置かつ固定位置であることを示す。
【０１３０】
“ｓｔａｒｔ"属性は、付加オブジェクトの表示を開始する時間の相対値を‘ＨＨ：ＭＭ：ＳＳ：ＦＦ’形式（時間：分：秒：フレーム）の精度で表している。また、“ｅｎｄ"属性は、付加オブジェクトの表示を終了する時間の相対値を、‘ＨＨ：ＭＭ：ＳＳ：ＦＦ’形式（時間：分：秒：フレーム）の精度で表している。ここで、“ｓｔａｒｔ"、“ｅｎｄ"属性は、付加オブジェクトがこの例のようにＰＧＣに対して付加されている場合は、ＰＧＣの開始位置からの相対時間を表している。もし、タイトル・ドメイン（“＜ｖｔｓ＿ｔｔ＞"）に対して付加されている場合は、タイトル・ドメインの開始位置からの相対時間を表す。
【０１３１】
“ｐｒｉｏｒｉｔｙ"属性は、付加オブジェクトとＤＶＤビデオコンテンツの関係を示している。ＤＶＤビデオコンテンツの “ｐｒｉｏｒｉｔｙ"属性は、通常デフォルトで“０”を示しており、“ｐｒｉｏｒｉｔｙ"属性が正の値の場合、ＤＶＤビデオコンテンツよりも前面に配置されており、“ｐｒｉｏｒｉｔｙ"属性が負の値の場合、ＤＶＤビデオコンテンツよりも背面に配置されていることを示す。また、オブジェクトが複数ある場合は値の大きいものほど前面にあることを示す。
【０１３２】
先の図１９はＰＧＣ＃１による画面の構成例を示したものであるが、この画面ではＤＶＤビデオコンテンツ８１１を全画面表示し、グラフィック・オブジェクト８１２を指定の位置、指定の大きさにて表示している。また、グラフィック・オブジェクト８１２の“ｐｒｉｏｒｉｔｙ"属性がＤＶＤビデオコンテンツ８１１より大きいため、グラフィック・オブジェクト８１２が前面に表示され、ユーザ操作を、まずグラフィック・オブジェクト８１２が処理することになっている。さらに、グラフィック・オブジェクト８１２の表示区間がＰＧＣ＃１の開始直後から５分後までとなっている。
【０１３３】
なお、上記“ｐｒｉｏｒｉｔｙ"属性（または別の新たな属性）を用いて、ユーザ操作の処理を受ける優先度を示すことも可能である。例えば、ＤＶＤビデオコンテンツによって構成されるメニュー画面と、グラフィック・オブジェクトによって構成されるメニュー画面とが同時に表示されているものとする。ここで、ＤＶＤビデオコンテンツの“ｐｒｉｏｒｉｔｙ"属性は通常デフォルトで“０"を示しており、グラフィック・オブジェクトの“ｐｒｉｏｒｉｔｙ"属性が正の値の場合、グラフィック・オブジェクトがＤＶＤビデオコンテンツよりも先にユーザ操作を処理する。“ｐｒｉｏｒｉｔｙ"属性が負の値の場合、グラフィック・オブジェクトよりも先にＤＶＤビデオコンテンツがユーザ操作を処理する。また、オブジェクトが複数ある場合は値の大きいものほど優先度が高いことを示す。
【０１３４】
２番目の例（図２４の８５２を参照）においては、１つのＰＧＣ（ＰＧＣ＃２）に対して、ディスク上に記録されている１つのグラフィック・オブジェクト（グラフィック・オブジェクト＃１）が付加されている。ここで、＜ｏｂｊｅｃｔ＞タグ内の“ｗｉｄｔｈ"、“ｈｅｉｇｈｔ"、“ｐｏｓｉｔｉｏｎ"、“ｓｔａｒｔ＿ｐｔｍ"、“ｅｎｄ＿ｐｔｍ"、“ｐｒｉｏｒｉｔｙ”属性が記述されている。ここで、“ｓｔａｒｔ＿ｐｔｍ"属性は、付加オブジェクトの表示を開始する時間の相対値を、ＰＴＭ（Ｐｒｅｓｅｎｔａｔｉｏｎ  Ｔｉｍe：９０ｋＨｚのクロックによるカウンタ）の精度で表している。また、“ｅｎｄ＿ｐｔｍ"属性は、付加オブジェクトの表示を終了する時間の相対値を、ＰＴＭの精度で表している。ここで、“ｓｔａｒｔ＿ｐｔｍ"、“ｅｎｄ＿ｐｔｍ"属性は、付加オブジェクトがこの例のようにＰＧＣに対して付加されている場合は、ＰＧＣの開始位置からの相対時間を表している。もし、タイトル・ドメイン（“＜ｖｔｓ＿ｔｔ＞"）に対して付加されている場合は、タイトル・ドメインの開始位置からの相対時間を表す。
【０１３５】
３番目の例（図２４の８５３を参照）においては、１つのＰＧＣ（ＰＧＣ＃３）に対して、ディスク上に記録されている１つのグラフィック・オブジェクト（グラフィック・オブジェクト＃１）が付加されている。この例では、前述の２つの例とは異なり、ＤＶＤビデオコンテンツの縮小を行っている。ここで、＜ｏｂｊｅｃｔ＞タグ内の“ｄａｔａ"属性の値が"dvd://hvdvd_ts/hvi00001.ifo"の場合は、ＤＶＤビデオコンテンツの表示を行うことを意味する。前述した２つの例においては、このＤＶＤビデオコンテンツを全画面表示していたため、＜ｏｂｊｅｃｔ＞タグを用いた記述の省略を行っていた。本例においては、ＤＶＤビデオコンテンツを表示するための＜ｏｂｅｃｔ＞タグ内に“ｗｉｄｔｈ"、“ｈｅｉｇｈｔ"、“ｐｏｓｉｔｉｏｎ"属性を用いて記述することにより、ＤＶＤビデオコンテンツの縮小表示を行うことができる。
【０１３６】
ここで、“ａｌｐｈａ”属性はアルファ値、つまり透過度を表している。アルファ値は“０”から“２５５"まで指定が可能で、“０”は透明を表し、“２５５”は不透明を表す。なお、アルファ値はパーセント表示、つまり“０％”から“１００％”で表すことも可能である。この場合は、“０％”が透明を表し、“１００％”が不透明を表す。また、次に記述されている＜ｏｂｊｅｃｔ＞タグはグラフィック・オブジェクトを表示するためのものであり、“ｗｉｄｔｈ"、“ｈｅｉｇｈｔ"、“ｐｏｓｉｔｉｏｎ"属性が省略されているのは、グラフィック・オブジェクトの全画面表示を行うことを意味する。
【０１３７】
図２８にＰＧＣ＃３による画面の構成例を示す。本例においては、グラフィック・オブジェクト８６１を全画面表示し、ＤＶＤビデオコンテンツ８６２を指定の位置、指定の大きさにて表示している。また、グラフィック・オブジェクト８６１の“ｐｒｉｏｒｉｔｙ"属性がＤＶＤビデオコンテンツ８６２より小さいため、縮小されたＤＶＤビデオコンテンツ８６２が前面に表示され、ユーザ操作をまずＤＶＤビデオコンテンツ８６２が処理することになっている。本例においては、ＤＶＤビデオコンテンツ８６２によるチャプター再生のためのメニュー・ボタン８６３及びグラフィック・オブジェクトによる再生用のメニュー・ボタン８６４が存在するが、ＤＶＤビデオコンテンツ８６２の優先度が高いため、まずＤＶＤビデオコンテンツ８６２にユーザ操作に対する設定があるかどうかを判断し、設定がある場合はＤＶＤビデオコンテンツ８６２がユーザ操作を処理し、設定がない場合はそのユーザ操作はグラフィック・オブジェクト８６１が処理を行う。
【０１３８】
４番目の例（図２５の８５４を参照）においては、１つのＰＧＣ（ＰＧＣ＃４）に対し、ディスク上に記録されている２つのグラフィック・オブジェクト（グラフィック・オブジェクト＃１、グラフィック・オブジェクト＃２）が付加されている。ここで、＜ｏｂｊｅｃｔ＞タグ内の“ａｕｄｉｏ”属性は、オーディオ・ストリーム番号に対応しており、本例においては、ＤＶＤビデオコンテンツのオーディオ・ストリーム＃１が再生されている場合は、グラフィック・オブジェクト＃１（ｈｖｔ００１０１．ａｇｏ）を同期再生し、オーディオ・ストリーム＃２が再生されている場合は、グラフィック・オブジェクト＃２（ｈｖｔ００１０２．ａｇｏ）を同期再生することを示す。
【０１３９】
例えば、ビデオコンテンツのオーディオ・ストリーム＃１が日本語音声、オーディオ・ストリーム＃２が英語音声にて構成されている場合、図２９に示すようにグラフィック・オブジェクト＃１（８７１を参照）を日本語にて構成し（つまりグラフィック・オブジェクトの表示が日本語で記述されている、またはグラフィック・オブジェクトによるアクセス先が日本語で構成されているコンテンツ）、図３０に示すようにグラフィック・オブジェクト＃２（８８１）を英語にて構成する（つまりグラフィック・オブジェクトの表示が英語で記述されている、またはグラフィック・オブジェクトによるアクセス先が英語で構成されているコンテンツ）ことにより、ＤＶＤビデオコンテンツ（図２９の８８２または図３０の８９２）の音声（図２９の８８３または図３０の８９３）の言語とグラフィック・オブジェクト（図２９の８８１または図３０の８９１）の言語を合わせることができる。
【０１４０】
実際には、再生装置は再生装置内のオーディオ・ストリーム番号を示すシステム・パラメータを参照し、それに対応したグラフィック・オブジェクトを、この再生シーケンス（ＰＳＱ）・ファイルから検索して再生する。例えば、オーディオ・ストリーム＃１を再生し、それに対応したグラフィック・オブジェクト＃１が表示されている場合、ユーザがリモートコントローラ等を用いて再生するオーディオをオーディオ・ストリーム＃２に変更した場合、表示を行うグラフィック・オブジェクトは、再生シーケンス・ファイルに従って、変更されたオーディオ・ストリームに対応したグラフィック・オブジェクト＃２を表示する。
【０１４１】
なお、本例においてはオーディオ・ストリームをストリーム番号で管理しているが、ストリーム番号ではなく言語コードにて管理することも可能である。この場合、ａｕｄｉｏ属性の代わりに、ａｕｄｉｏ＿ｌａｎｇ属性を用いて、ａｕｄｉｏ＿ｌａｎｇ＝“ｘｘ”（ｘｘはＩＳＯ６３９で規定される言語コードを示す)で表すことができる。例えば、ａｕｄｉｏ＿ｌａｎｇ＝“ｊｐ”の場合、日本語で構成されているオーディオ・ストリームを示し、ａｕｄｉｏ＿ｌａｎｇ＝“ｅｎ”の場合、英語で構成されているオーディオ・ストリームを示す。
【０１４２】
５番目の例（図２５の８５５を参照）においては、１つのＰＧＣ（ＰＧＣ＃５）に対し、ディスク上に記録されている３つのグラフィック・オブジェクト（グラフィック・オブジェクト＃１、グラフィック・オブジェクト＃２、グラフィック・オブジェクト＃３）が付加されている。ここで、＜ｏｂｊｅｃｔ＞タグ内の“ｓｕｂｐｉｃ”属性は、サブピクチャ・ストリーム番号（副映像番号）に対応しており、本例においては、ＤＶＤビデオコンテンツのサブピクチャ・ストリーム＃１が再生されている場合は、グラフィック・オブジェクト＃１（ｈｖｔ００１０１．ａｇｏ）を同期再生し、サブピクチャ・ストリーム＃２が再生されている場合は、グラフィック・オブジェクト＃２（ｈｖｔ００１０２．ａｇｏ）を同期再生し、サブピクチャ・ストリーム＃３が再生されている場合は、グラフィック・オブジェクト＃３（ｈｖｔ００１０３．ａｇｏ）を同期再生することを示す。
【０１４３】
例えば、ビデオコンテンツのサブピクチャ・ストリーム＃１が日本語字幕、サブピクチャ・ストリーム＃３が英語字幕にて構成されている場合、図３１に示すようにグラフィック・オブジェクト＃１（図３１の８９１を参照）を日本語にて構成する（つまりグラフィック・オブジェクトの表示が日本語で記述されている、またはグラフィック・オブジェクトによるアクセス先が日本語で構成されているコンテンツ）、図３２に示すようにグラフィック・オブジェクト＃３（図３２の９０１を参照）を英語にて構成する（つまりグラフィック・オブジェクトの表示が英語で記述されている、またはグラフィック・オブジェクトによるアクセス先が英語で構成されているコンテンツ）ことにより、ＤＶＤビデオコンテンツ（図３１の８９２または図３２の９０２）の字幕（図３１の８９３または図３２の９０３）の言語とグラフィック・オブジェクト（図３１の８９１または図３２の９０１）の言語を合わせることができる。
【０１４４】
実際には、再生装置は、再生装置内のサブピクチャ・ストリーム番号を示すシステム・パラメータを参照し、それに対応したグラフィック・オブジェクトを、この再生シーケンス（ＰＳＱ）・ファイルから検索して再生する。例えば、サブピクチャ・ストリーム＃１を再生し、それに対応したグラフィック・オブジェクト＃１が表示されている場合、ユーザがリモートコントローラ等を用いて再生する字幕（サブピクチャ）をサブピクチャ・ストリーム＃３に変更した場合、表示を行うグラフィック・オブジェクトは、再生シーケンス・ファイルに従って、変更されたサブピクチャ・ストリームに対応したグラフィック・オブジェクト＃３を表示する。
【０１４５】
また、本例においてはサブピクチャ・ストリームをストリーム番号で管理しているが、ストリーム番号ではなく言語コードにて管理することも可能である。この場合、ｓｕｂｐｉｃ属性の代わりに、ｓｕｂｐｉｃ＿ｌａｎｇ属性を用いて、ｓｕｂｐｉｃ＿ｌａｎｇ＝“ｘｘ”（ｘｘは、ＩＳＯ６３９で規定される言語コードを示す）で表すことができる。例えば、ｓｕｂｐｉｃ＿ｌａｎｇ＝“ｊｐ"の場合、日本語で構成されているサブピクチャ・ストリームを示し、ｓｕｂｐｉｃ＿ｌａｎｇ＝“ｅｎ”の場合、英語で構成されているサブピクチャ・ストリームを示す。
【０１４６】
６番目の例（図２５の８５６を参照）においては、１つのＰＧＣ（ＰＧＣ＃６）に対し、ディスク上に記録されている２つのグラフィック・オブジェクト（グラフィック・オブジェクト＃１、グラフィック・オブジェクト＃２）が付加されている。ここで、＜ｏｂｊｅｃｔ＞タグ内の“ａｎｇｌｅ"属性は、アングル番号に対応しており、本例においては、ビデオコンテンツのアングル＃１が再生されている場合（図３３の９１１を参照）は、グラフィック・オブジェクト＃１（ｈｖｔ００１０１．ａｇｏ）を同期再生し（図３３の９１２を参照）、アングル＃３が再生されている場合（図３４の９２１を参照）は、グラフィック・オブジェクト＃２（ｈｖｔ００１０２．ａｇｏ）を同期再生し（図３４の９２２を参照）、アングル＃２が再生されている場合は、グラフィック・オブジェクトを再生しないことを示す。
【０１４７】
通常、アングルが異なる場合は人物や建物など配置が異なるため、アングルごとにグラフィック・オブジェクトの大きさや位置をそれぞれ別々に構成することが望ましい。（１つのグラフィック・オブジェクトにそれぞれのグラフィック・オブジェクト・データをマルチプレクスしても良い。）実際には、再生装置は、再生装置内のアングル番号を示すシステム・パラメータを参照し、それに対応したグラフィック・オブジェクトをこの再生シーケンス（ＰＳＱ）・ファイルから検索して再生する。
【０１４８】
７番目の例（図２６の８５７を参照）においては、１つのＰＧＣ（ＰＧＣ＃７）に対しディスク上に記録されている３つのグラフィック・オブジェクト（グラフィック・オブジェクト＃１、グラフィック・オブジェクト＃２、グラフィック・オブジェクト＃３）が付加されている。ここで、＜ｏｂｊｅｃｔ＞タグ内の“ａｓｐｅｃｔ”属性は、（初期）表示アスペクト比に対応しており、＜ｏｂｊｅｃｔ＞タグ内の“ｄｉｓｐｌａｙ"属性は、（現在）表示モードに対応している。本例においては、ＤＶＤビデオコンテンツ自体が"１６：９"のアスペクト比で構成されており、“１６：９"のアスペクト比をもつＴＶモニターには“ワイド（ｗｉｄｅ）"出力が（図３５の９３１を参照）、“４：３"のアスペクト比をもつＴＶモニターには“レターボックス（ｌｂ）"出力（図３６の９４１を参照）または“パンスキャン（ｐｓ）"出力（図３７の９５１を参照）が許されている例を示す。
【０１４９】
これに対して、グラフィック・オブジェクトは、（初期）表示アスペクト比が“１６：９"かつ（現在）表示モードが“ｗｉｄｅ”のときはグラフィック・オブジェクト＃１を同期再生し（図３５の９３２を参照）、（初期）表示アスペクト比が“４：３"かつ（現在）表示モードが“ｌｂ”のときはグラフィック・オブジェクト＃２を同期再生し（図３６の９４２を参照）、（初期）表示アスペクト比が“４：３"かつ（現在）表示モードが“ｐｓ"のときはグラフィック・オブジェクト＃３を同期再生する（図３７の９５２を参照）。
【０１５０】
例えば、“１６：９"のアスペクト比で表示されていたときに、人物の真横に表示されていたグラフィック・オブジェクトを、“４：３"のアスペクト比の“レターボックス"表示の場合は画面の上下（の黒部分）に表示したり、“４：３"のアスペクト比の“パンスキャン"表示の場合は画面の左右が切れてしまうが、グラフィック・オブジェクトを表示が可能な位置に変更することが可能になる。また、画面の構成に応じて、グラフィック・オブジェクトのサイズを小さくしたり、または大きくしたり、グラフィック・オブジェクト内の文字のサイズを小さく、または大きくすることが可能になる。これにより、ＤＶＤビデオコンテンツの表示状態に応じたグラフィック・オブジェクトの表示を行うことが可能になる。実際には、再生装置は、再生装置内のビデオ用のプレーヤ構成における“初期表示アスペクト比”と“現在表示モード"を示すシステム・パラメータとを参照し、それに対応したグラフィック・オブジェクトをこの再生シーケンス（ＰＳＱ）・ファイルから検索して再生する。
【０１５１】
８番目の例（図２６の８５８を参照）においては、１つのＰＧＣ（ＰＧＣ＃８）に対し、ディスク上に記録されている１つのグラフィック・オブジェクト（グラフィック・オブジェクト＃１）が付加されている。前例と同様に、＜ｏｂｊｅｃｔ＞タグ内の“ａｓｐｅｃｔ”属性は、（初期）表示アスペクト比に対応しており、＜ｏｂｊｅｃｔ＞タグ内の“ｄｉｓｐｌａｙ"属性は、（現在）表示モードに対応している。本例においては、ＤＶＤビデオコンテンツ自体が“４：３"のアスペクト比で構成されており、“４：３"のアスペクト比をもつＴＶモニターには“通常"モードで出力する場合に適用される。
【０１５２】
最後に、前述の機能を組み合わせて用いることが可能であることを示す例を示す。９番目の例（図２７の８５９を参照）においては、１つのＰＧＣ（ＰＧＣ＃９）に対し、ディスク上に記録されている４つのグラフィック・オブジェクト（グラフィック・オブジェクト＃１、グラフィック・オブジェクト＃２、グラフィック・オブジェクト＃３、グラフィック・オブジェクト＃４）が付加されている。本例においては、ＤＶＤビデオコンテンツのオーディオ・ストリーム＃１が再生され、かつサブピクチャ・ストリーム＃１が再生され、かつアングル＃１が再生されている場合はグラフィック・オブジェクト＃１（“ｈｖｔ００１０１．ａｇｏ"）を同期再生し、オーディオ・ストリーム＃１が再生され、かつサブピクチャ・ストリーム＃２が再生され、かつアングル＃１が再生されている場合はグラフィック・オブジェクト＃２（“ｈｖｔ００１０２．ａｇｏ"）を同期再生し、アングル＃２が再生されている場合はグラフィック・オブジェクト＃３（“ｈｖｔ００１０３．ａｇｏ"）を同期再生し、オーディオ・ストリーム＃２が再生され、かつサブピクチャ・ストリーム＃２が再生されている場合はグラフィック・オブジェクト＃４（“ｈｖｔ００１０４．ａｇｏ"）を同期再生する。
【０１５３】
以上の９例に関して、ＤＶＤビデオコンテンツのＰＧＣとその属性に対する付加されるグラフィック・オブジェクトの関係を図３８に示す。
【０１５４】
本実施の形態における再生装置は、ＤＶＤビデオコンテンツを再生する前に、再生シーケンス（ＰＳＱ）・ファイルをあらかじめ読み込むことにより、もしくは適宜参照することにより、ＤＶＤビデオコンテンツの再生状態に応じて、逐次付加する高機能グラフィック・オブジェクト、高精細テキスト・オブジェクト、オーディオ・オブジェクト、Ｍａｒｋｕｐ言語オブジェクト、Ｖｃｌｉｃｋオブジェクトといった付加オブジェクトをリアルタイムに変化させることが可能となる。これにより、ユーザによって再生状態が変更されても、それに適した付加オブジェクトを再生することが可能になる。
【０１５５】
また、１つの付加オブジェクトのファイル数（オブジェクト数）を増やし、そのファイル・サイズを小さくすることにより、再生装置に必要とされる付加オブジェクトを格納するための領域（バッファ）を小さくすることも可能になる。また、ファイル・サイズは大きくなるが、ファイル数を減らす（つまり一つのオブジェクトが複数の付加オブジェクトを含む構成にする）ことにより、ＤＶＤビデオコンテンツの再生状態が変化した場合、スムーズに付加オブジェクトを切り替えることが可能となる。これにより付加オブジェクトを構成するにあたり、オーサリングの自由度を持つことができる。
【０１５６】
以上説明した様に、本実施の形態によれば、従来のビデオ・コンテンツに加えて画面上の任意の位置に任意のサイズで、静止画イメージ、バックグラウンド・オーディオやスモール・アニメーションを伴うボタンやハイライト表示が行える高機能グラフィック及び高精細テキストを設定できるので、コンテンツ供給者の自由度が広がり、より多彩なコンテンツをユーザに提供可能となる。
【０１５７】
以下に本実施の形態のポイントをあらためて纏めてみる。
（１）ディスクに格納されるオブジェクトの内、必要最低限のオブジェクト（ビデオ、オーディオ及び副映像）のみをＭＰＥＧプログラムストリームでマルチプレックスしておき、後から重ねて表示させることが可能なオブジェクトを別オブジェクトで記録格納しておき、αブレンド（ＲＧＢミキシングに透明度αを持たせたもの）により、ＭＰＥＧプログラムストリームから得られるオブジェクトに重ねて表示する。
（２）（１）のコンセプトで、ディスクに格納される副映像オブジェクトによる（低解像度の）字幕に加え、後述の高精細テキスト・オブジェクト（ＡＴＯＢ）によって高精細な字幕を実現する。
（３）（１）のコンセプトで、ディスクに格納されるビデオ・オブジェクトに、αブレンドにより重ねて表示でき、ボタンやハイライト表示可能な後述の高機能グラフィック・オブジェクト（ＡＧＯＢ）で、メニュー等、多彩なグラフィックを実現する。
（４）（１）のコンセプトに加え、プログラム・チェーン（ＰＧＣ）を制御可能な共通ＡＰＩを導入し、後述のプログラマブル再生シーケンス（ＰＰＳＱ）で、ディスクに格納される全てのオブジェクトの再生制御を実現する。
【図面の簡単な説明】
【０１５８】
【図１】本発明になる情報記録媒体における記録情報のデータ構造の一実施の形態を示す図。
【図２】本実施の形態に係るファイル・ディレクトリ構造の一例を示す図。
【図３】図１（ｅ）に示したビデオ・マネージャ情報領域の詳細なデータ構造を示す図。
【図４】図１（ｆ）に示したビデオ・タイトル・セット情報領域の詳細なデータ構造を示す図。
【図５】図４で示したビデオ・タイトル・セット・プログラム・チェーン情報テーブル内のデータ構造を示す図。
【図６】図３のビデオ・マネージャ・メニューＰＧＣＩユニット・テーブル情報中に格納されるＶＭＧＭ＿ＰＧＣＩまたは図４のビデオ・タイトル・セット・プログラム・チェーン情報テーブル中に格納されるＶＴＳ＿ＰＧＣＩのプログラム・チェーン情報内のデータ構造を示す図。
【図７】図６のプログラム・チェーン情報内のデータ構造の続きを示す図。
【図８】基準プロファイルのコンテンツ・イメージの一例をマトリックス化して示す図。
【図９】基準プロファイルのシステムの一例を示すブロック図。
【図１０】拡張プロファイルのコンテンツ・イメージの一例をマトリックス化して示す図。
【図１１】拡張プロファイルのシステム・ブロック図の一例を示す図。
【図１２】本実施の形態の再生装置で再生される再生イメージの例を示す図。
【図１３】同じく本実施の形態の再生装置で再生される再生イメージの例を示す図。
【図１４】同じく本実施の形態の再生装置で再生される再生イメージの例を示す図。
【図１５】基準プロファイルにおける画面構成例を示す図。
【図１６】拡張プロファイルにおける画面構成例を示す図。
【図１７】再生シーケンス・ファイルの構成例を示す図。
【図１８】再生シーケンス・ファイルの構成例を示す図。
【図１９】ＤＶＤビデオコンテンツに対してグラフィック・オブジェクトが付加された画面の構成例を示す図。
【図２０】指定されたＤＶＤビデオコンテンツに対してオーディオ・オブジェクトが付加された画面の構成例を示す図。
【図２１】指定されたＤＶＤビデオコンテンツに対してＶｃｌｉｃｋオブジェクトが付加された画面の構成例を示す図。
【図２２】指定されたＤＶＤビデオコンテンツに対してＶｃｌｉｃｋオブジェクトが付加された画面の構成例を示す図。
【図２３】図１７乃至図１８の再生シーケンスの記述例にて記述された付加オブジェクトとＤＶＤビデオコンテンツの関係を示す図。
【図２４】図１７乃至図１８の再生シーケンス・ファイルとは別の記述例を示す図。
【図２５】図１７乃至図１８の再生シーケンス・ファイルとは別の記述例を示す図。
【図２６】図１７乃至図１８の再生シーケンス・ファイルとは別の記述例を示す図。
【図２７】図１７乃至図１８の再生シーケンス・ファイルとは別の記述例を示す図。
【図２８】図２４のＰＧＣ＃３による画面の構成例を示す図。
【図２９】図２５にかかるＰＧＣ＃４による画面の構成例を示す図。
【図３０】図２５にかかるＰＧＣ＃４による画面の構成例を示す図。
【図３１】図２５にかかるＰＧＣ＃５による画面の構成例を示す図。
【図３２】図２５にかかるＰＧＣ＃５による画面の構成例を示す図。
【図３３】図２５にかかるＰＧＣ＃６による画面の構成例を示す図。
【図３４】図２５にかかるＰＧＣ＃６による画面の構成例を示す図。
【図３５】図２６にかかるＰＧＣ＃７による画面の構成例を示す図。
【図３６】図２６にかかるＰＧＣ＃７による画面の構成例を示す図。
【図３７】図２６にかかるＰＧＣ＃７による画面の構成例を示す図。
【図３８】ＤＶＤビデオコンテンツのＰＧＣとその属性に対する付加されるグラフィック・オブジェクトの関係を示す図。
【符号の説明】
【０１５９】
１：情報記録媒体
３２：メニュー用拡張ビデオ・オブジェクト領域
３４：メニュー用高機能グラフィック・オブジェクト領域
３５：再生シーケンス
４２：タイトル用拡張ビデオ・オブジェクト領域
４４：タイトル用高機能グラフィック・オブジェクト
１０１：ＤＶＤディスク
１０２：再生シーケンス
１０３：再生シーケンス解読器
１０４：ＤＶＤビデオ再生エンジン
１０６：高機能グラフィック再生エンジン
１０７：高精細テキスト再生エンジン
１０８：ミキシング部
１０９：メモリカード
１１０：インターネット（Ｗｅｂ）
【図１】
2005276344.tif 000003
【図２】
2005276344.tif 000004
【図３】
2005276344.tif 000005
【図４】
2005276344.tif 000006
【図５】
2005276344.tif 000007
【図６】
2005276344.tif 000008
【図７】
2005276344.tif 000009
【図８】
2005276344.tif 000010
【図９】
2005276344.tif 000011
【図１０】
2005276344.tif 000012
【図１１】
2005276344.tif 000013
【図１２】
2005276344.tif 000014
【図１３】
2005276344.tif 000015
【図１４】
2005276344.tif 000016
【図２２】
2005276344.tif 000017
【図２３】
2005276344.tif 000018
【図２４】
2005276344.tif 000019
【図２５】
2005276344.tif 000020
【図２６】
2005276344.tif 000021
【図２７】
2005276344.tif 000022
【図２８】
2005276344.tif 000023
【図２９】
2005276344.tif 000024
【図３０】
2005276344.tif 000025
【図３１】
2005276344.tif 000026
【図３２】
2005276344.tif 000027
【図３３】
2005276344.tif 000028
【図３４】
2005276344.tif 000029
【図３５】
2005276344.tif 000030
【図３６】
2005276344.tif 000031
【図３７】
2005276344.tif 000032
【図３８】
2005276344.tif 000033
【図１５】
2005276344.tif 000034
【図１６】
2005276344.tif 000035
【図１７】
2005276344.tif 000036
【図１８】
2005276344.tif 000037
【図１９】
2005276344.tif 000038
【図２０】
2005276344.tif 000039
【図２１】
2005276344.tif 000040